(57)【要約】【課題】提げ手付きの六角形状の包装箱で、提げ手が側面に設けられた係止孔に係合した状態では、各側面は折曲されずに平面状となるものにおいて、容易に蓋の開閉を行なうことができる包装箱を提供する。【解決手段】包装箱１は、スリーブ状部５と蓋部１００、１５０と把手部１１０、１６０と底面部１９０とを有し、スリーブ状部５は、正面部１０と右側面部２０と左側面部５０と背面部８０を有し、右側面部２０は、正面側右側面部３０と背面側右側面部４０を有し、左側面部５０は、正面側左側面部６０と背面側左側面部７０を有している。右側面部２０においては、開口部２０Ｋを挟んだ両側に折れ線Ｃ１１、１２が略ハの字状に形成され、左側面部５０においては、開口部５０Ｋを挟んだ両側に折れ線Ｃ２１、２２が略ハの字状に形成されている。【選択図】図６
2018002287.tif 000002
【特許請求の範囲】
【請求項１】
包装箱であって、
底面部（１９０）と、
底面部から立設するとともに、正面部（１０）と右側面部（２０）と左側面部（５０）と背面部（８０）とを有し、右側面部が、正面側右側面部（３０）と背面側右側面部（４０）とを有し、左側面部が、正面側左側面部（６０）と背面側左側面部（７０）とを有して、正面部と正面側右側面部と背面側右側面部と正面側左側面部と背面側左側面部と背面部とにより六角筒状を呈する側面部で、右側面部が正面部の上辺及び背面部の上辺よりも上方に突出した第１上方突出領域（２０−１）を有し、左側面部が正面部の上辺及び背面部の上辺よりも上方に突出した第２上方突出領域（５０−１）を有し、正面側右側面部と背面側右側面部の境界位置には右側面部の上下方向に沿って縦長の第１開口部（２０Ｋ）が設けられ、第１開口部の少なくとも一部は第１上方突出領域に設けられ、正面側左側面部と背面側左側面部の境界位置には左側面部の上下方向に沿って縦長の第２開口部（５０Ｋ）が設けられ、第２開口部の少なくとも一部は第２上方突出領域に設けられた側面部（５）と、
正面部の上辺から連設された第１蓋部（１００）と、
第１蓋部の正面部とは反対側の辺部から連設された第１把手部で、右側面側に突出した第１右突出領域（１２０−１）と左側面側に突出した第１左突出領域（１２０−２）を有し、第１右突出領域が第１開口部に挿通した状態で、第１開口部の上端と係合する第１切欠部（１２２Ｋ）を有するとともに、第１左突出領域が第２開口部に挿通した状態で、第２開口部の上端と係合する第２切欠部（１２４Ｋ）を有する第１把手部（１１０）と、
背面部の上辺から連設された第２蓋部（１５０）と、
第２蓋部の背面部とは反対側の辺部から連設された第２把手部で、右側面側に突出した第２右突出領域（１７０−１）と左側面側に突出した第２左突出領域（１７０−２）を有し、第２右突出領域が第１開口部に挿通した状態で、第１開口部の上端と係合する第３切欠部（１７２Ｋ）を有するとともに、第２左突出領域が第２開口部に挿通した状態で、第２開口部の上端と係合する第４切欠部（１７４Ｋ）を有する第２把手部（１１０）と、
を有し、
包装箱がシート状のブランクにより形成され、
第１上方突出領域における正面側の辺部における下端から上端までの途中位置又は第１上方突出領域における正面側の辺部における下端の位置である第１位置（Ｐ１）と第１開口部の正面側の辺部における下端から上端までの途中位置である第２位置（Ｑ１）の間には、第１位置と第２位置を結ぶ方向に直線状の第１折れ線（Ｃ１１）が設けられ、第２位置は第１位置よりも上下方向において上側に設けられて、第１折れ線は、第１位置側から第２位置側に行くに従い上側となるように傾斜し、
第１上方突出領域における背面側の辺部における下端から上端までの途中位置又は第１上方突出領域における背面側の辺部における下端の位置である第３位置（Ｐ２）と第１開口部の背面側の辺部における下端から上端までの途中位置である第４位置（Ｑ２）の間には、第３位置と第４位置を結ぶ方向に直線状の第２折れ線（Ｃ１２）が設けられ、第４位置は第３位置よりも上下方向において上側に設けられて、第２折れ線は、第３位置側から第４位置側に行くに従い上側となるように傾斜し、
第２上方突出領域における正面側の辺部における下端から上端までの途中位置又は第２上方突出領域における正面側の辺部における下端の位置である第５位置（Ｐ３）と第２開口部の正面側の辺部における下端から上端までの途中位置である第６位置（Ｑ３）の間には、第５位置と第６位置を結ぶ方向に直線状の第３折れ線（Ｃ２１）が設けられ、第６位置は第５位置よりも上下方向において上側に設けられて、第３折れ線は、第５位置側から第６位置側に行くに従い上側となるように傾斜し、
第２上方突出領域における背面側の辺部における下端から上端までの途中位置又は第２上方突出領域における背面側の辺部における下端の位置である第７位置（Ｐ４）と第２開口部の背面側の辺部における下端から上端までの途中位置である第８位置（Ｑ４）の間には、第７位置と第８位置を結ぶ方向に直線状の第４折れ線（Ｃ２２）が設けられ、第８位置は第７位置よりも上下方向において上側に設けられて、第４折れ線は、第７位置側から第８途中側に行くに従い上側となるように傾斜し、
第１開口部の下端は、上下方向において、第１位置及び第３位置よりも下側の位置にあり、第２開口部の下端は、上下方向において、第５位置及び第７位置よりも下側の位置にあり、
右側面部が、第１折れ線と第２折れ線よりも下側の領域である右側面部本体部（２２）と第１折れ線と第２折れ線よりも上側の領域である右側面部上端部（２４）とに区画され、左側面部が、第３折れ線と第４折れ線よりも下側の領域である左側面部本体部（５２）と第３折れ線と第４折れ線よりも上側の領域である左側面部上端部（５４）とに区画され、
第１開口部の上端と第１切欠部及び第３切欠部とが係合するとともに、第２開口部の上端と第２切欠部及び第４切欠部とが係合した状態で、第１把手部と第２把手部を下方に押し込むことにより、第１開口部の上端と第１切欠部及び第３切欠部との係合が解除されるとともに、第２開口部の上端と第２切欠部及び第４切欠部との係合が解除され、
第１開口部の上端と第１切欠部及び第３切欠部とが係合している場合の右側面部上端部の状態である第１状態から右側面部上端部（２４）を右側面部本体部（２２）に対して第１折れ線及び第２折れ線を介して外側に回動させることにより、右側面部上端部が右側面部本体部に対して斜め下方に折曲した状態である第２状態となり、右側面部上端部における第１状態の位置から第１状態から第２状態までの途中位置である第１回動途中位置までの範囲においては、右側面部上端部が外側に回動されるに従い、正面側右側面部における第１折れ線よりも下側の領域である正面側右側面部本体部（３２）の上端領域（３２−１）が内側に撓むとともに、背面側右側面部における第２折れ線よりも下側の領域である背面側右側面部本体部（４２）の上端領域（４２−１）が内側に撓んで、第１折れ線の延長線と第２折れ線の延長線間の上面視における角度が大きくなり、
第２開口部の上端と第２切欠部及び第４切欠部とが係合している場合の左側面部上端部の状態である第３状態から左側面部上端部（５４）を左側面部本体部（５２）に対して第３折れ線及び第４折れ線を介して外側に回動させることにより、左側面部上端部が左側面部本体部に対して斜め下方に折曲した状態である第４状態となり、左側面部上端部における第３状態の位置から第３状態から第４状態までの途中位置である第２回動途中位置までの範囲においては、左側面部上端部が外側に回動されるに従い、正面側左側面部における第３折れ線よりも下側の領域である正面側左側面部本体部（６２）の上端領域（６２−１）が内側に撓むとともに、背面側左側面部における第４折れ線よりも下側の領域である背面側左側面部本体部（７２）の上端領域（７２−１）が内側に撓んで、第３折れ線の延長線と第４折れ線の延長線間の上面視における角度が大きくなることを特徴とする包装箱。
【請求項２】
右側面部上端部における第２状態の位置から第１回動途中位置までの範囲においては、右側面部上端部が内側に回動されるに従い、正面側右側面部における第１折れ線よりも下側の領域である正面側右側面部本体部（３２）の上端領域（３２−１）が内側に撓むとともに、背面側右側面部における第２折れ線よりも下側の領域である背面側右側面部本体部（４２）の上端領域（４２−１）が内側に撓んで、第１折れ線の延長線と第２折れ線の延長線間の上面視における角度が大きくなり、
左側面部上端部における第４状態の位置から第２回動途中位置までの範囲においては、左側面部上端部が内側に回動されるに従い、正面側左側面部における第３折れ線よりも下側の領域である正面側左側面部本体部（６２）の上端領域（６２−１）が内側に撓むとともに、背面側左側面部における第４折れ線よりも下側の領域である背面側左側面部本体部（７２）の上端領域（７２−１）が内側に撓んで、第３折れ線の延長線と第４折れ線の延長線間の上面視における角度が大きくなることを特徴とする請求項１に記載の包装箱。
【請求項３】
第１位置から第２位置まで第１折れ線に沿って折曲げ用の罫線が形成され、第３位置から第４位置まで第２折れ線に沿って折曲げ用の罫線が形成され、
第５位置から第６位置まで第３折れ線に沿って折曲げ用の罫線が形成され、第７位置から第８位置まで第４折れ線に沿って折曲げ用の罫線が形成されていることを特徴とする請求項１又は２に記載の包装箱。
【請求項４】
第１回動途中位置は、正面側右側面部における第１折れ線よりも上側の領域である第１上端部（３４）と背面側右側面部における第２折れ線よりも上側の領域である第２上端部（４４）間の折れ線が略水平の状態となる位置であり、
第２回動途中位置は、正面側左側面部における第３折れ線よりも上側の領域である第３上端部（６４）と背面側左側面部における第４折れ線よりも上側の領域である第４上端部（７４）間の折れ線が略水平の状態となる位置であることを特徴とする請求項１又は２又は３に記載の包装箱。
【請求項５】
正面側右側面部本体部（３２）の上端領域（３２−１）が、第１位置と第１開口部の下端を結ぶ第１仮想直線（Ｄ１１）と、第１折れ線と、第１開口部の正面側の辺部により囲まれた領域であり、
背面側右側面部本体部（４２）の上端領域（４２−１）が、第３位置と第１開口部の下端を結ぶ第２仮想直線（Ｄ１２）と、第２折れ線と、第１開口部の背面側の辺部により囲まれた領域であり、
正面側左側面部本体部（６２）の上端領域（６２−１）が、第５位置と第２開口部の下端を結ぶ第３仮想直線（Ｄ２１）と、第３折れ線と、第２開口部の正面側の辺部により囲まれた領域であり、
背面側左側面部本体部（７２）の上端領域（７２−１）が、第７位置と第２開口部の下端を結ぶ第４仮想直線（Ｄ２２）と、第４折れ線と、第２開口部の背面側の辺部により囲まれた領域であることを特徴とする請求項１又は２又は３又は４に記載の包装箱。
【請求項６】
第１開口部の長手方向の長さが、第１右突出領域の長さであって第１右突出領域が第１開口部に挿通した状態で第１切欠部の位置における第１開口部の長手方向に沿った長さで第１切欠部の上下方向の長さを含む長さよりも長く形成されるとともに、第２右突出領域の長さであって第２右突出領域が第１開口部に挿通した状態で第２切欠部の位置における第１開口部の長手方向に沿った長さで第２切欠部の上下方向の長さを含む長さよりも長く形成され、
第２開口部の長手方向の長さが、第１左突出領域の長さであって第１左突出領域が第２開口部に挿通した状態で第３切欠部の位置における第２開口部の長手方向に沿った長さで第３切欠部の上下方向の長さを含む長さよりも長く形成されるとともに、第２左突出領域の長さであって第２左突出領域が第２開口部に挿通した状態で第４切欠部の位置における第２開口部の長手方向に沿った長さで第４切欠部の上下方向の長さを含む長さよりも長く形成されていることを特徴とする請求項１又は２又は３又は４又は５に記載の包装箱。
【請求項７】
第１把手部が、第１蓋部の正面部とは反対側の辺部における右側部分から連設された正面右側支持部（１３０）と、第１蓋部の正面部とは反対側の辺部における左側部分から連設された正面左側支持部（１３２）と、正面右側支持部の上端及び正面左側支持部の上端から連設された第１把手本体（１２０）とを有し、
第１把手本体の上辺に第１切欠部と第２切欠部が設けられ、第１把手本体における正面右側支持部よりも右側面側に突出した領域が、第１右突出領域であり、第１把手本体における正面左側支持部よりも左側面側に突出した領域が、第１左突出領域であり、
第２把手部が、第２蓋部の背面部とは反対側の辺部における右側部分から連設された背面右側支持部（１８０）と、第２蓋部の背面部とは反対側の辺部における左側部分から連設された背面左側支持部（１８２）と、背面右側支持部の上端及び背面左側支持部の上端から連設された第２把手本体（１７０）とを有し、
第２把手本体の上辺に第３切欠部と第４切欠部が設けられ、第２把手本体における背面右側支持部よりも右側面側に突出した領域が、第２右突出領域であり、第２把手本体における背面左側支持部よりも左側面側に突出した領域が、第２左突出領域であることを特徴とする請求項１又は２又は３又は４又は５又は６に記載の包装箱。
【請求項８】
第１蓋部における正面部とは反対側の辺部には、正面右側支持部と正面左側支持部間の隙間から連設された第５切欠部（１００Ｋ）が設けられ、
第２蓋部における背面部とは反対側の辺部には、背面右側支持部と背面左側支持部間の隙間から連設された第６切欠部（１５０Ｋ）が設けられ、
第１蓋部と第２蓋部とを閉じた状態では、第５切欠部と第６切欠部が対向した状態となり、包装箱に収納された被収納物が第５切欠部及び第６切欠部から上方に突出した状態で第５切欠部及び第６切欠部により支持されることを特徴とする請求項７に記載の包装箱。
【請求項９】
第１蓋部が、正面部の上辺に沿った第１辺部（１００ａ）と、第１辺部の左側面側の端部から連設され、第１蓋部を閉じた際に正面側左側面部の内側の面に沿った状態となる第２辺部（１００ｂ）と、第２辺部の第１辺部とは反対側の端部から連設され、第２辺部に対して鈍角をなすとともに、第１把手部との間の折れ線と鋭角をなし、第１蓋部を閉じた状態において正面側左側面部の内側の面に対して隙間を形成する第３辺部（１００ｃ’）と、第１辺部の右側面側の端部から連設され、第１蓋部を閉じた際に正面側右側面部の内側の面に沿った状態となる第４辺部（１００ｈ）と、第４辺部の第１辺部とは反対側の端部から連設され、第４辺部に対して鈍角をなすとともに、第１把手部との間の折れ線と鋭角をなし、第１蓋部を閉じた状態において正面側右側面部の内側の面に対して隙間を形成する第５辺部（１００ｇ’）とを有し、
正面左側支持部が、第１蓋部との折れ線に対して鈍角をなすとともに第３辺部から連設された第６辺部（１３２ｚ）を有し、正面右側支持部が、第１蓋部との折れ線に対して鈍角をなすとともに第５辺部から連設された第７辺部（１３０ｚ）を有し、
第２蓋部が、背面部の上辺に沿った第８辺部（１５０ａ）と、第８辺部の左側面側の端部から連設され、第２蓋部を閉じた際に背面側左側面部の内側の面に沿った状態となる第９辺部（１５０ｂ）と、第９辺部の第８辺部とは反対側の端部から連設され、第９辺部に対して鈍角をなすとともに、第２把手部との間の折れ線と鋭角をなし、第２蓋部を閉じた状態において背面側左側面部の内側の面に対して隙間を形成する第１０辺部（１５０ｃ’）と、第８辺部の右側面側の端部から連設され、第２蓋部を閉じた際に背面側右側面部の内側の面に沿った状態となる第１１辺部（１５０ｈ）と、第１１辺部の第８辺部とは反対側の端部から連設され、第１１辺部に対して鈍角をなすとともに、第２把手部との間の折れ線と鋭角をなし、第２蓋部を閉じた状態において背面側右側面部の内側の面に対して隙間を形成する第１２辺部（１５０ｇ’）とを有し、
背面左側支持部が、第２蓋部との折れ線に対して鈍角をなすとともに第１０辺部から連設された第１３辺部（１８２ｚ）を有し、背面右側支持部が、第２蓋部との折れ線に対して鈍角をなすとともに第１２辺部から連設された第１４辺部（１３２ｚ）を有していることを特徴とする請求項７又は８に記載の包装箱。
【請求項１０】
第１蓋部と第１把手部とからなる領域を展開した状態において、第３辺部と第６辺部とで１つの直線状の辺部が形成され、第５辺部と第７辺部とで１つの直線状の辺部が形成され、
第２蓋部と第２把手部とからなる領域を展開した状態において、第１０辺部と第１３辺部とで１つの直線状の辺部が形成され、第１２辺部と第１４辺部とで１つの直線状の辺部が形成されていることを特徴とする請求項９に記載の包装箱。
【発明の詳細な説明】
【技術分野】
【０００１】
本発明は、包装箱に関するものであり、特に、提げ手付きの六角筒状の包装箱に関するものである。
【背景技術】
【０００２】
従来より、提げ手付きの六角形状の包装箱で、提げ手が側面に設けられた係止孔に係合した状態では、各側面は折曲されずに平面状となるものとして、特許文献１に記載の容器が存在する。
【０００３】
特許文献１の容器の組立てに際しては、提手板１０を重合起立し、提手板１０の両側上部に突設された係止突片ｂを係止孔ｃに係合する。
【先行技術文献】
【特許文献】
【０００４】
【特許文献１】実公昭５９−２９８９５号公報
【発明の概要】
【発明が解決しようとする課題】
【０００５】
しかし、特許文献１の容器のように、提げ手付きの六角形状の包装箱で、提げ手が側面に設けられた係止孔に係合した状態で少なくとも係合孔が設けられた側面は折曲されずに平面状となるものにおいては、容易に蓋の開操作をすることができない。
【０００６】
すなわち、特許文献１に記載の容器は、もともとパックインボックスとしての使用を前提としており、容器内に収納された液体を取り出すには、注出栓１３を取り付けるので、容易に蓋を開閉できる必要がなく、このような容器をパックインボックスとしてではなく、被収納物を収納して収納した被収納物を蓋を開けて取り出すことができるようにするには、容易に蓋を開操作できることが要望されていた。
【０００７】
そこで、本発明は、提げ手付きの六角形状の包装箱で、提げ手が側面に設けられた係止孔に係合した状態で少なくとも係合孔が設けられた側面は折曲されずに平面状となる包装箱において、容易に蓋を容易に開くことができる包装箱を提供することを目的とするものである。
【課題を解決するための手段】
【０００８】
本発明は上記問題点を解決するために創作されたものであって、第１には、包装箱であって、底面部（１９０）と、底面部から立設するとともに、正面部（１０）と右側面部（２０）と左側面部（５０）と背面部（８０）とを有し、右側面部が、正面側右側面部（３０）と背面側右側面部（４０）とを有し、左側面部が、正面側左側面部（６０）と背面側左側面部（７０）とを有して、正面部と正面側右側面部と背面側右側面部と正面側左側面部と背面側左側面部と背面部とにより六角筒状を呈する側面部で、右側面部が正面部の上辺及び背面部の上辺よりも上方に突出した第１上方突出領域（２０−１）を有し、左側面部が正面部の上辺及び背面部の上辺よりも上方に突出した第２上方突出領域（５０−１）を有し、正面側右側面部と背面側右側面部の境界位置には右側面部の上下方向に沿って縦長の第１開口部（２０Ｋ）が設けられ、第１開口部の少なくとも一部は第１上方突出領域に設けられ、正面側左側面部と背面側左側面部の境界位置には左側面部の上下方向に沿って縦長の第２開口部（５０Ｋ）が設けられ、第２開口部の少なくとも一部は第２上方突出領域に設けられた側面部（５）と、正面部の上辺から連設された第１蓋部（１００）と、第１蓋部の正面部とは反対側の辺部から連設された第１把手部で、右側面側に突出した第１右突出領域（１２０−１）と左側面側に突出した第１左突出領域（１２０−２）を有し、第１右突出領域が第１開口部に挿通した状態で、第１開口部の上端と係合する第１切欠部（１２２Ｋ）を有するとともに、第１左突出領域が第２開口部に挿通した状態で、第２開口部の上端と係合する第２切欠部（１２４Ｋ）を有する第１把手部（１１０）と、背面部の上辺から連設された第２蓋部（１５０）と、第２蓋部の背面部とは反対側の辺部から連設された第２把手部で、右側面側に突出した第２右突出領域（１７０−１）と左側面側に突出した第２左突出領域（１７０−２）を有し、第２右突出領域が第１開口部に挿通した状態で、第１開口部の上端と係合する第３切欠部（１７２Ｋ）を有するとともに、第２左突出領域が第２開口部に挿通した状態で、第２開口部の上端と係合する第４切欠部（１７４Ｋ）を有する第２把手部（１１０）と、を有し、包装箱がシート状のブランクにより形成され、第１上方突出領域における正面側の辺部における下端から上端までの途中位置又は第１上方突出領域における正面側の辺部における下端の位置である第１位置（Ｐ１）と第１開口部の正面側の辺部における下端から上端までの途中位置である第２位置（Ｑ１）の間には、第１位置と第２位置を結ぶ方向に直線状の第１折れ線（Ｃ１１）が設けられ、第２位置は第１位置よりも上下方向において上側に設けられて、第１折れ線は、第１位置側から第２位置側に行くに従い上側となるように傾斜し、第１上方突出領域における背面側の辺部における下端から上端までの途中位置又は第１上方突出領域における背面側の辺部における下端の位置である第３位置（Ｐ２）と第１開口部の背面側の辺部における下端から上端までの途中位置である第４位置（Ｑ２）の間には、第３位置と第４位置を結ぶ方向に直線状の第２折れ線（Ｃ１２）が設けられ、第４位置は第３位置よりも上下方向において上側に設けられて、第２折れ線は、第３位置側から第４位置側に行くに従い上側となるように傾斜し、第２上方突出領域における正面側の辺部における下端から上端までの途中位置又は第２上方突出領域における正面側の辺部における下端の位置である第５位置（Ｐ３）と第２開口部の正面側の辺部における下端から上端までの途中位置である第６位置（Ｑ３）の間には、第５位置と第６位置を結ぶ方向に直線状の第３折れ線（Ｃ２１）が設けられ、第６位置は第５位置よりも上下方向において上側に設けられて、第３折れ線は、第５位置側から第６位置側に行くに従い上側となるように傾斜し、第２上方突出領域における背面側の辺部における下端から上端までの途中位置又は第２上方突出領域における背面側の辺部における下端の位置である第７位置（Ｐ４）と第２開口部の背面側の辺部における下端から上端までの途中位置である第８位置（Ｑ４）の間には、第７位置と第８位置を結ぶ方向に直線状の第４折れ線（Ｃ２２）が設けられ、第８位置は第７位置よりも上下方向において上側に設けられて、第４折れ線は、第７位置側から第８途中側に行くに従い上側となるように傾斜し、第１開口部の下端は、上下方向において、第１途中位置及び第３途中位置よりも下側の位置にあり、第２開口部の下端は、上下方向において、第５途中位置及び第７途中位置よりも下側の位置にあり、右側面部が、第１折れ線と第２折れ線よりも下側の領域である右側面部本体部（２２）と第１折れ線と第２折れ線よりも上側の領域である右側面部上端部（２４）とに区画され、左側面部が、第３折れ線と第４折れ線よりも下側の領域である左側面部本体部（５２）と第３折れ線と第４折れ線よりも上側の領域である左側面部上端部（５４）とに区画され、第１開口部の上端と第１切欠部及び第３切欠部とが係合するとともに、第２開口部の上端と第２切欠部及び第４切欠部とが係合した状態では、第１上端部（３４）は、正面側右側面部本体部（３２）に対して折り曲げられていない状態であり、第２上端部（４４）は、背面側右側面部本体部（４２）に対して折り曲げられていない状態であり、第３上端部（６４）は、正面側左側面部本体部（６２）に対して折り曲げられていない状態であり、第４上端部（７４）は、背面側左側面部本体部（７２）に対して折り曲げられていない状態であり、第１開口部の上端と第１切欠部及び第３切欠部とが係合するとともに、第２開口部の上端と第２切欠部及び第４切欠部とが係合した状態で、第１把手部と第２把手部を下方に押し込むことにより、第１開口部の上端と第１切欠部及び第３切欠部との係合が解除されるとともに、第２開口部の上端と第２切欠部及び第４切欠部との係合が解除され、第１開口部の上端と第１切欠部及び第３切欠部とが係合している場合の右側面部上端部の状態である第１状態から右側面部上端部（２４）を右側面部本体部（２２）に対して第１折れ線及び第２折れ線を介して外側に回動させることにより、右側面部上端部が右側面部本体部に対して斜め下方に折曲した状態である第２状態となり、右側面部上端部における第１状態の位置から第１状態から第２状態までの途中位置である第１回動途中位置までの範囲においては、右側面部上端部が外側に回動されるに従い、正面側右側面部における第１折れ線よりも下側の領域である正面側右側面部本体部（３２）の上端領域（３２−１）が内側に撓むとともに、背面側右側面部における第２折れ線よりも下側の領域である背面側右側面部本体部（４２）の上端領域（４２−１）が内側に撓んで、第１折れ線の延長線と第２折れ線の延長線間の上面視における角度が大きくなり、第２開口部の上端と第２切欠部及び第４切欠部とが係合している場合の左側面部上端部の状態である第３状態から左側面部上端部（５４）を左側面部本体部（５２）に対して第３折れ線及び第４折れ線を介して外側に回動させることにより、左側面部上端部が左側面部本体部に対して斜め下方に折曲した状態である第４状態となり、左側面部上端部における第３状態の位置から第３状態から第４状態までの途中位置である第２回動途中位置までの範囲においては、左側面部上端部が外側に回動されるに従い、正面側左側面部における第３折れ線よりも下側の領域である正面側左側面部本体部（６２）の上端領域（６２−１）が内側に撓むとともに、背面側左側面部における第４折れ線よりも下側の領域である背面側左側面部本体部（７２）の上端領域（７２−１）が内側に撓んで、第３折れ線の延長線と第４折れ線の延長線間の上面視における角度が大きくなることを特徴とする。
【０００９】
第１の構成の包装箱においては、第１状態から第１状態から第２状態までの途中位置までの範囲においては、右側面部上端部が外側に回動されるに従い、正面側右側面部における第１折れ線よりも下側の領域である正面側右側面部本体部の上端領域が内側に撓むとともに、背面側右側面部における第２折れ線よりも下側の領域である背面側右側面部本体部の上端領域が内側に撓んで、第１折れ線と第２折れ線間の上面視における角度が大きくなるが、第１折れ線は、第１途中位置側から第２途中位置側に行くに従い上側となるように傾斜し、第２折れ線は、第３途中位置側から第４途中位置側に行くに従い上側となるように傾斜していて、第１折れ線と第２折れ線は略ハの字状を呈しているので、その分、上端領域が内側に撓んだ際に、第１折れ線と第２折れ線の内側への回動角度が大きくなり、よって、第１折れ線と第２折れ線がなす鈍角の角度が大きくなるので、右側面部上端部を容易に外側に回動させて、右側面部本体部に対して折り返した状態とすることができ、第１把手部及び第２把手部のロックを容易に解除できるので、結果として、第１蓋部や第２蓋部を容易に開くことができる。
【００１０】
また、第１開口部の下端は、上下方向において、第１途中位置及び第３途中位置よりも下側の位置にあるので、上端領域が内側に撓んだ際に、第１折れ線と第２折れ線の回動角度を大きくでき、結果として、第１折れ線と第２折れ線間の角度が大きくなって、右側面部上端部を折り返しやすくすることができる。
【００１１】
同様に、第３状態から第３状態から第４状態までの途中位置までの範囲においては、左側面部上端部が外側に回動されるに従い、正面側左側面部における第３折れ線よりも下側の領域である正面側左側面部本体部の上端領域が内側に撓むとともに、背面側左側面部における第４折れ線よりも下側の領域である背面側左側面部本体部の上端領域が内側に撓んで、第３折れ線と第４折れ線間の上面視における角度が大きくなるが、第３折れ線は、第５途中位置側から第６途中位置側に行くに従い上側となるように傾斜し、第４折れ線は、第７途中位置側から第８途中位置側に行くに従い上側となるように傾斜していて、第３折れ線と第４折れ線は略ハの字状を呈しているので、その分、上端領域が内側に撓んだ際に、第３折れ線と第４折れ線の内側への回動角度が大きくなり、よって、第３折れ線と第４折れ線がなす鈍角の角度が大きくなるので、左側面部上端部を容易に外側に回動させて、左側面部本体部に対して折り返した状態とすることができ、第１把手部及び第２把手部のロックを容易に解除できるので、結果として、第１蓋部や第２蓋部を容易に開くことができる。
【００１２】
また、第２開口部の下端は、上下方向において、第５途中位置及び第７途中位置よりも下側の位置にあるので、上端領域が内側に撓んだ際に、第３折れ線と第４折れ線の回動角度を大きくでき、結果として、第３折れ線と第４折れ線間の角度が大きくなって、左側面部上端部を折り返しやすくすることができる。
【００１３】
なお、上記第１の構成において、第１開口部の上端と第１切欠部及び第３切欠部とが係合するとともに、第２開口部の上端と第２切欠部及び第４切欠部とが係合した状態では、第１上端部（３４）は、正面側右側面部本体部（３２）に対して折り曲げられていない状態であり、第２上端部（４４）は、背面側右側面部本体部（４２）に対して折り曲げられていない状態であり、第３上端部（６４）は、正面側左側面部本体部（６２）に対して折り曲げられていない状態であり、第４上端部（７４）は、背面側左側面部本体部（７２）に対して折り曲げられていない状態であるとしてもよい。
【００１４】
また、上記第１の構成において、第１折れ線と第２折れ線が右側面部２０の展開状態において、正面側右側面部と背面側右側面部間の折れ線に沿った中心線を介して線対称に形成され、第３折れ線と第４折れ線が左側面部５０の展開状態において、正面側左側面部と背面側左側面部間の折れ線に沿った中心線を介して線対称に形成されているとしてもよい。
【００１５】
また、第２には、上記第１の構成において、右側面部上端部における第２状態の位置から第１回動途中位置までの範囲においては、右側面部上端部が内側に回動されるに従い、正面側右側面部における第１折れ線よりも下側の領域である正面側右側面部本体部（３２）の上端領域（３２−１）が内側に撓むとともに、背面側右側面部における第２折れ線よりも下側の領域である背面側右側面部本体部（４２）の上端領域（４２−１）が内側に撓んで、第１折れ線の延長線と第２折れ線の延長線間の上面視における角度が大きくなり、左側面部上端部における第４状態の位置から第２回動途中位置までの範囲においては、左側面部上端部が内側に回動されるに従い、正面側左側面部における第３折れ線よりも下側の領域である正面側左側面部本体部（６２）の上端領域（６２−１）が内側に撓むとともに、背面側左側面部における第４折れ線よりも下側の領域である背面側左側面部本体部（７２）の上端領域（７２−１）が内側に撓んで、第３折れ線の延長線と第４折れ線の延長線間の上面視における角度が大きくなることを特徴とする。
【００１６】
よって、右側面部上端部を第２状態から内側に回動させる場合も、第１折れ線と第２折れ線がなす鈍角の角度が大きくなるので、右側面部上端部を容易に内側に回動させることができ、同様に、左側面部上端部を第４状態から内側に回動させる場合も、第３折れ線と第４折れ線がなす鈍角の角度が大きくなるので、左側面部上端部を容易に内側に回動させることができる。
【００１７】
また、第３には、上記第１又は第２の構成において、第１位置から第２位置まで第１折れ線に沿って折曲げ用の罫線が形成され、第３位置から第４位置まで第２折れ線に沿って折曲げ用の罫線が形成され、第５位置から第６位置まで第３折れ線に沿って折曲げ用の罫線が形成され、第７位置から第８位置まで第４折れ線に沿って折曲げ用の罫線が形成されていることを特徴とする。
【００１８】
また、第４には、上記第１から第３までのいずれかの構成において、第１回動途中位置は、正面側右側面部における第１折れ線よりも上側の領域である第１上端部（３４）と背面側右側面部における第２折れ線よりも上側の領域である第２上端部（４４）間の折れ線が略水平の状態となる位置であり、第２回動途中位置は、正面側左側面部における第３折れ線よりも上側の領域である第３上端部（６４）と背面側左側面部における第４折れ線よりも上側の領域である第４上端部（７４）間の折れ線が略水平の状態となる位置であることを特徴とする。
【００１９】
また、第５には、上記第１から第４までのいずれかの構成において、正面側右側面部本体部（３２）の上端領域（３２−１）が、第１位置と第１開口部の下端を結ぶ第１仮想直線（Ｄ１１）と、第１折れ線と、第１開口部の正面側の辺部により囲まれた領域であり、背面側右側面部本体部（４２）の上端領域（４２−１）が、第３位置と第１開口部の下端を結ぶ第２仮想直線（Ｄ１２）と、第２折れ線と、第１開口部の背面側の辺部により囲まれた領域であり、正面側左側面部本体部（６２）の上端領域（６２−１）が、第５位置と第２開口部の下端を結ぶ第３仮想直線（Ｄ２１）と、第３折れ線と、第２開口部の正面側の辺部により囲まれた領域であり、背面側左側面部本体部（７２）の上端領域（７２−１）が、第７位置と第２開口部の下端を結ぶ第４仮想直線（Ｄ２２）と、第４折れ線と、第２開口部の背面側の辺部により囲まれた領域であることを特徴とする。
【００２０】
また、第６には、上記第１から第５までのいずれかの構成において、第１開口部の長手方向の長さが、第１右突出領域の長さであって第１右突出領域が第１開口部に挿通した状態で第１切欠部の位置における第１開口部の長手方向に沿った長さで第１切欠部の上下方向の長さを含む長さよりも長く形成されるとともに、第２右突出領域の長さであって第２右突出領域が第１開口部に挿通した状態で第２切欠部の位置における第１開口部の長手方向に沿った長さで第２切欠部の上下方向の長さを含む長さよりも長く形成され、第２開口部の長手方向の長さが、第１左突出領域の長さであって第１左突出領域が第２開口部に挿通した状態で第３切欠部の位置における第２開口部の長手方向に沿った長さで第３切欠部の上下方向の長さを含む長さよりも長く形成されるとともに、第２左突出領域の長さであって第２左突出領域が第２開口部に挿通した状態で第４切欠部の位置における第２開口部の長手方向に沿った長さで第４切欠部の上下方向の長さを含む長さよりも長く形成されていることを特徴とする。
【００２１】
よって、第１開口部の上端が第１切欠部及び第３切欠部と係合し、第２開口部の上端が第２切欠部及び第４切欠部と係合している状態から第１把手部及び第２把手部を下方に押し込むことにより、第１開口部及び第２開口部の上端と第１切欠部〜第４切欠部の係合が解除される。
【００２２】
また、第７には、上記第１から第６までのいずれかの構成において、第１把手部が、第１蓋部の正面部とは反対側の辺部における右側部分から連設された正面右側支持部（１３０）と、第１蓋部の正面部とは反対側の辺部における左側部分から連設された正面左側支持部（１３２）と、正面右側支持部の上端及び正面左側支持部の上端から連設された第１把手本体（１２０）とを有し、第１把手本体の上辺に第１切欠部と第２切欠部が設けられ、第１把手本体における正面右側支持部よりも右側面側に突出した領域が、第１右突出領域であり、第１把手本体における正面左側支持部よりも左側面側に突出した領域が、第１左突出領域であり、第２把手部が、第２蓋部の背面部とは反対側の辺部における右側部分から連設された背面右側支持部（１８０）と、第２蓋部の背面部とは反対側の辺部における左側部分から連設された背面左側支持部（１８２）と、背面右側支持部の上端及び背面左側支持部の上端から連設された第２把手本体（１７０）とを有し、第２把手本体の上辺に第３切欠部と第４切欠部が設けられ、第２把手本体における背面右側支持部よりも右側面側に突出した領域が、第２右突出領域であり、第２把手本体における背面左側支持部よりも左側面側に突出した領域が、第２左突出領域であることを特徴とする。
【００２３】
また、第８には、上記第７の構成において、第１蓋部における正面部とは反対側の辺部には、正面右側支持部と正面左側支持部間の隙間から連設された第５切欠部（１００Ｋ）が設けられ、第２蓋部における背面部とは反対側の辺部には、背面右側支持部と背面左側支持部間の隙間から連設された第６切欠部（１５０Ｋ）が設けられ、第１蓋部と第２蓋部とを閉じた状態では、第５切欠部と第６切欠部が対向した状態となり、包装箱に収納された被収納物が第５切欠部及び第６切欠部から上方に突出した状態で第５切欠部及び第６切欠部により支持されることを特徴とする。
【００２４】
よって、第５切欠部及び第６切欠部により、被収納物の上端部分を支持することができる。
【００２５】
また、第９には、上記第７又は第８の構成において、第１蓋部が、正面部の上辺に沿った第１辺部（１００ａ）と、第１辺部の左側面側の端部から連設され、第１蓋部を閉じた際に正面側左側面部の内側の面に沿った状態となる第２辺部（１００ｂ）と、第２辺部の第１辺部とは反対側の端部から連設され、第２辺部に対して鈍角をなすとともに、第１把手部との間の折れ線と鋭角をなし、第１蓋部を閉じた状態において正面側左側面部の内側の面に対して隙間を形成する第３辺部（１００ｃ’）と、第１辺部の右側面側の端部から連設され、第１蓋部を閉じた際に正面側右側面部の内側の面に沿った状態となる第４辺部（１００ｈ）と、第４辺部の第１辺部とは反対側の端部から連設され、第４辺部に対して鈍角をなすとともに、第１把手部との間の折れ線と鋭角をなし、第１蓋部を閉じた状態において正面側右側面部の内側の面に対して隙間を形成する第５辺部（１００ｇ’）とを有し、正面左側支持部が、第１蓋部との折れ線に対して鈍角をなすとともに第３辺部から連設された第６辺部（１３２ｚ）を有し、正面右側支持部が、第１蓋部との折れ線に対して鈍角をなすとともに第５辺部から連設された第７辺部（１３０ｚ）を有し、第２蓋部が、背面部の上辺に沿った第８辺部（１５０ａ）と、第８辺部の左側面側の端部から連設され、第２蓋部を閉じた際に背面側左側面部の内側の面に沿った状態となる第９辺部（１５０ｂ）と、第９辺部の第８辺部とは反対側の端部から連設され、第９辺部に対して鈍角をなすとともに、第２把手部との間の折れ線と鋭角をなし、第２蓋部を閉じた状態において背面側左側面部の内側の面に対して隙間を形成する第１０辺部（１５０ｃ’）と、第８辺部の右側面側の端部から連設され、第２蓋部を閉じた際に背面側右側面部の内側の面に沿った状態となる第１１辺部（１５０ｈ）と、第１１辺部の第８辺部とは反対側の端部から連設され、第１１辺部に対して鈍角をなすとともに、第２把手部との間の折れ線と鋭角をなし、第２蓋部を閉じた状態において背面側右側面部の内側の面に対して隙間を形成する第１２辺部（１５０ｇ’）とを有し、背面左側支持部が、第２蓋部との折れ線に対して鈍角をなすとともに第１０辺部から連設された第１３辺部（１８２ｚ）を有し、背面右側支持部が、第２蓋部との折れ線に対して鈍角をなすとともに第１２辺部から連設された第１４辺部（１３２ｚ）を有していることを特徴とする。
【００２６】
よって、第１蓋部と第２蓋部を外側に回動させた状態から第１蓋部及び第２蓋部を閉じた状態とする際に、第１蓋部と第１把手部の境界の両側部分が正面側右側面部や正面側左側面部６０触して邪魔になることがなく、第２蓋部と第２把手部の境界の両側部分が背面側右側面部や背面側左側面部に接触して邪魔になることがない。
【００２７】
また、第１０には、上記第９の構成において、第１蓋部と第１把手部とからなる領域を展開した状態において、第３辺部と第６辺部とで１つの直線状の辺部が形成され、第５辺部と第７辺部とで１つの直線状の辺部が形成され、第２蓋部と第２把手部とからなる領域を展開した状態において、第１０辺部と第１３辺部とで１つの直線状の辺部が形成され、第１２辺部と第１４辺部とで１つの直線状の辺部が形成されていることを特徴とする。
【００２８】
よって、第１蓋部と第１把手部間の境界位置の両側に角部が形成されず、第２蓋部と第２把手部間の境界位置の両側に角部が形成されないので、第１蓋部及び第２蓋部を閉じる際に邪魔になることがない。
【発明の効果】
【００２９】
本発明に基づく包装箱によれば、右側面部上端部を容易に外側に回動させるとともに、左側面部上端部を容易に外側に回動させることができ、第１把手部及び第２把手部のロックを容易に解除できるので、結果として、第１蓋部や第２蓋部を容易に開くことができる。
【００３０】
また、右側面部上端部や左側面部上端部を内側に回動させる場合も、容易に回動させることができ、、第１把手部及び第２把手部を容易にロックすることができるので、結果として、第１蓋部や第２蓋部を容易に閉じることができる。
【図面の簡単な説明】
【００３１】
【図１】包装箱の前方斜視図であり、蓋部を閉状態でロックした状態を示す前方斜視図である。
【図２】包装箱の後方斜視図であり、蓋部を閉状態でロックした状態を示す後方斜視図である。
【図３】包装箱の前方斜視図であり、上端部を外側に回動してロックを解除した状態を示す前方斜視図である。
【図４】包装箱の前方斜視図であり、蓋部を外側に回動させてスリーブ状部の上方を開放した状態を示す前方斜視図である。
【図５】包装箱の底面図である。
【図６】包装箱の展開図である。
【図７】図６の要部拡大図である。
【図８】図６の要部拡大図である。
【図９】蓋部のロックを解除する動作を正面視又は背面視で説明する説明図である。
【図１０】蓋部のロックを解除する動作を正面視又は背面視で説明する説明図である。
【図１１】蓋部のロックを解除する動作を右側面視又は左側面視で説明する説明図である。
【図１２】蓋部のロックを解除する動作を右側面視又は左側面視で説明する説明図である。
【図１３】蓋部のロックを解除する動作を上面視で説明する説明図である。
【図１４】蓋部のロックを解除する動作を上面視で説明する説明図である。
【図１５】蓋部のロックを解除する動作を前方斜視又は後方斜視で説明する説明図である。
【図１６】蓋部のロックを解除する際の作用を模式的に示す説明図である。
【図１７】包装箱の使用方法を示す前方斜視図である。
【図１８】包装箱の使用方法を示す前方斜視図である。
【図１９】包装箱の他の例を示す要部展開図である。
【図２０】包装箱の他の例を示す展開図である。
【図２１】包装箱の他の例を示す展開図である。
【発明を実施するための形態】
【００３２】
本発明においては、提げ手付きの六角形状の包装箱で、提げ手が側面に設けられた係止孔に係合した状態で少なくとも係合孔が設けられた側面は折曲されずに平面状となる包装箱において、容易に蓋を容易に開くことができる包装箱を提供するという目的を以下のようにして実現した。
【００３３】
本発明に基づく包装箱１は、提げ手付きの六角筒状の包装箱であり、図１〜図８に示すように構成され、スリーブ状部５と、スリーブ状部５から連設された蓋部１００、１５０と、蓋部１００、１５０から連設された把手部１１０、１６０と、スリーブ状部５の下端から連設された底面部１９０とを有している。
【００３４】
包装箱１は、全体に１枚のシート状のブランク（具体的には、段ボール製（例えば、薄型段ボール製）のブランクであり、厚紙製のブランク等の他の紙製のブランクでもよい）により形成されている。つまり、包装箱１は、段ボール材（特に、両面段ボール材）等の紙製の箱体である。段ボールにおける断面略波形形状の中芯の段の方向は、図６における円内に示す方向となっていて、折れ線Ｃ１〜Ｃ６と平行となっている（なお、段ボールにおける中芯の段の方向はこれには限られない）。
【００３５】
ここで、スリーブ状部（側面部）５は、正面部１０と、正面部１０の右側面側の辺部から折れ線Ｃ１を介して連設された右側面部２０と、正面部１０の左側面側の辺部から折れ線Ｃ４を介して連設された左側面部５０と、右側面部２０の背面側の辺部から折れ線Ｃ３を介して連設された背面部８０と、左側面部５０の背面側の辺部から折れ線Ｃ６を介して連設された糊代部９０とを有している。また、右側面部２０は、上下方向に形成され折れ線Ｃ１、Ｃ３と平行に形成された折れ線Ｃ２を介して、正面側右側面部３０と背面側右側面部４０とに区画され、また、左側面部５０は、上下方向に形成され折れ線Ｃ４、Ｃ６と平行に形成された折れ線Ｃ５を介して、正面側左側面部６０と背面側左側面部７０とに区画されていて、正面部１０と正面側右側面部３０と背面側右側面部４０と正面側左側面部６０と背面側左側面部７０と背面部８０とで六角筒状に形成されている。
【００３６】
折れ線Ｃ１〜Ｃ６は互いに平行に形成され、折れ線Ｃ１〜Ｃ６において、互いに隣接する折れ線間の長さは略同一に形成されていて、スリーブ状部５は、組立て状態において、略正六角柱状に形成される。正面部１０と正面側右側面部３０と背面側右側面部４０と正面側左側面部６０と背面側左側面部７０と背面部８０とにおける横方向の幅は同一（略同一としてもよい）に形成されている。
【００３７】
ここで、正面部１０は、縦長の長方形状に形成されている。また、正面側右側面部３０は、正面部１０の上端よりも上方に突出した部分が幅狭となる形状を呈していて、折れ線Ｃ１に沿った辺部３０ａと、辺部３０ａの上端から連設され、折れ線Ｃ２側に向けて傾斜した（つまり、上側にいくほど折れ線Ｃ２との距離が短くなる）辺部３０ｂと、辺部３０ｂの上端から連設され、上下方向（つまり、折れ線Ｃ１と平行な方向）に形成された辺部３０ｃと、辺部３０ｃの上端から辺部３０ｃに対して鈍角（具体的には、１３５度）に形成された辺部３０ｄと、辺部３０ｄの上端から連設され、辺部３０ｄに対して鈍角（具体的には、１３５度）をなし、正面側右側面部３０の下辺（つまり、辺部３０ｉ）と平行な（つまり、水平方向に形成された）辺部３０ｅと、辺部３０ｅの端部から連設され折れ線Ｃ２に沿って上下方向に形成された辺部３０ｆと、辺部３０ｆの下端から連設され、右側面部２０の上端領域に形成された開口部２０Ｋの辺部に沿って略コ字状の辺部３０ｇと、辺部３０ｇの下端から連設され、折れ線Ｃ２に沿って上下方向に形成された辺部３０ｈと、辺部３０ｈの下端から連設され辺部３０ａの下端にまで形成された辺部３０ｉとを有している。辺部３０ａと辺部３０ｂとは、１５０度の角度をなしている。
【００３８】
辺部３０ｇは、辺部３０ｉと平行な辺部３０ｇ−１と、辺部３０ｇ−１の端部から連設され辺部３０ｇ−１に対して直角をなし折れ線Ｃ２と平行な辺部３０ｇ−２と、辺部３０ｇ−２の下端から連設され辺部３０ｇ−１と平行な辺部３０ｇ−３とを有している。
【００３９】
なお、辺部３０ａ、３０ｂ、３０ｃ、３０ｄ、３０ｅ、３０ｆ、３０ｇ−１、３０ｇ−２、３０ｇ−３、３０ｈ、３０ｉは、いずれも直線状を呈している。
【００４０】
また、背面側右側面部４０は、右側面部２０の展開状態において、折れ線Ｃ２を介して正面側右側面部３０と線対称に形成されている。つまり、背面側右側面部４０は、背面部８０の上端よりも上方に突出した部分が幅狭となる形状を呈していて、折れ線Ｃ３に沿った辺部４０ａと、辺部４０ａの上端から連設され、折れ線Ｃ２側に向けて傾斜した（つまり、上側にいくほど折れ線Ｃ２との距離が短くなる）辺部４０ｂと、辺部４０ｂの上端から連設され、上下方向（つまり、折れ線Ｃ３と平行な方向）に形成された辺部４０ｃと、辺部４０ｃの上端から辺部４０ｃに対して鈍角（具体的には、１３５度）に形成された辺部４０ｄと、辺部４０ｄの上端から連設され、辺部４０ｄに対して鈍角（具体的には、１３５度）をなし、背面側右側面部４０の下辺（つまり、辺部４０ｉ）と平行な（つまり、水平方向に形成された）辺部４０ｅと、辺部４０ｅの端部から連設され折れ線Ｃ２に沿って上下方向に形成された辺部４０ｆと、辺部４０ｆの下端から連設され、右側面部２０の上端領域に形成された開口部２０Ｋの辺部に沿って略コ字状の辺部４０ｇと、辺部４０ｇの下端から連設され、折れ線Ｃ２に沿って上下方向に形成された辺部４０ｈと、辺部４０ｈの下端から連設され辺部４０ａの下端にまで形成された辺部４０ｉとを有している。辺部４０ａと辺部４０ｂとは、１５０度の角度をなしている。
【００４１】
辺部４０ｇは、辺部４０ｉと平行な辺部４０ｇ−１と、辺部４０ｇ−１の端部から連設され辺部４０ｇ−１に対して直角をなし折れ線Ｃ２と平行な辺部４０ｇ−２と、辺部４０ｇ−２の下端から連設され辺部４０ｇ−１と平行な辺部４０ｇ−３とを有している。
【００４２】
なお、辺部４０ａ、４０ｂ、４０ｃ、４０ｄ、４０ｅ、４０ｆ、４０ｇ−１、４０ｇ−２、４０ｇ−３、４０ｈ、４０ｉは、いずれも直線状を呈している。
【００４３】
右側面部２０の上端領域には、正面側右側面部３０と背面側右側面部４０の境界位置に、縦長の開口部（第１開口部）２０Ｋが形成され、正面側右側面部３０における辺部３０ｇと背面側右側面部４０における辺部４０ｇとで、開口部２０Ｋの辺部が形成される。すなわち、辺部３０ｇ−１と辺部４０ｇ−１とで１つの直線状の辺部２０Ｋａが形成され、辺部３０ｇ−３と辺部４０ｇ−３とで１つの直線状の辺部２０Ｋｂが形成され、開口部２０Ｋは、辺部２０Ｋａと辺部３０ｇ−２と辺部４０ｇ−２と辺部２０Ｋｂとを有し、４つの角部にはアールが設けられていることにより略長方形状を呈している。なお、４つの角部のアールを設けずに開口部２０Ｋを長方形状としてもよい。なお、辺部２０Ｋｂは、上下方向において、辺部３０ｂと辺部３０ｃの接点Ｐ１よりも下側に位置しているとともに、辺部４０ｂと辺部４０ｃの接点Ｐ２よりも下側に位置している。つまり、接点Ｐ１から辺部３０ｉまでの距離や接点Ｐ２から辺部４０ｉまでの距離は、辺部２０Ｋｂの辺部３０ｉまでの長さ（辺部４０ｉまでの長さ）よりも短くなっている。
【００４４】
接点Ｐ１と辺部３０ｇ−２間には折れ線（第１折れ線）Ｃ１１が形成され、折れ線Ｃ１１と辺部３０ｇ−２の接点Ｑ１は、高さ方向において、接点Ｐ１よりも上方の位置にあり、これにより、折れ線Ｃ１１は、接点Ｐ１から接点Ｑ１にいくほど上側となるように水平方向（辺部３０ｉの方向）に対して傾斜している。折れ線Ｃ１１の水平方向に対する角度は、５〜１０度となっている。接点Ｐ１は、上方突出領域２０−１（後述）における正面側の辺部（辺部３０ｂ、３０ｃ、３０ｄ）における下端（辺部３０ｂの下端）から上端（辺部３０ｄの上端）までの途中位置（第１位置）であり、接点Ｑ１は、開口部２０Ｋの正面側の辺部（辺部３０ｇ）における下端から上端までの途中位置（第２位置）である。折れ線Ｃ１１は直線状を呈している。
【００４５】
具体的には、接点Ｐ１から接点Ｑ１まで罫線が直線状に形成されており、正面側右側面部３０の外側の面からの押罫による折曲げ用の罫線が形成されている。なお、接点Ｐ１から接点Ｑ１まで罫線が設けられているとしたが、罫線の端部と接点Ｐ１、Ｑ１との間に間隔が設けられていてもよく、すなわち、罫線は、接点Ｐ１と接点Ｑ１の間に接点Ｐ１と接点Ｑ１を結ぶ方向に設けられていればよい。
【００４６】
また、接点Ｐ２と辺部４０ｇ−２間には折れ線（第２折れ線）Ｃ１２が形成され、この折れ線Ｃ１２は、右側面部２０の展開状態において、折れ線Ｃ２に沿った中心線を介して折れ線Ｃ１１と線対称（左右線対称）に形成されている。すなわち、折れ線Ｃ１２と辺部４０ｇ−２の接点Ｑ２は、高さ方向において、接点Ｐ２よりも上方の位置にあり、これにより、折れ線Ｃ１２は、接点Ｐ２から接点Ｑ２にいくほど上側となるように水平方向（辺部４０ｉの方向）に対して傾斜している。折れ線Ｃ１２の水平方向に対する角度は、５〜１０度となっている。つまり、開口部２０Ｋを挟んだ両側に折れ線Ｃ１１と折れ線Ｃ１２とが略ハの字状を呈している。接点Ｐ２は、上方突出領域２０−１（後述）における背面側の辺部（辺部４０ｂ、４０ｃ、４０ｄ）における下端（辺部４０ｂの下端）から上端（辺部４０ｄの上端）までの途中位置（第３位置）であり、接点Ｑ２は、開口部２０Ｋの背面側の辺部（辺部４０ｇ）における下端から上端までの途中位置（第４位置）である。折れ線Ｃ１２は直線状を呈している。
【００４７】
具体的には、接点Ｐ２から接点Ｑ２まで罫線が直線状に形成されており、背面側右側面部４０の外側の面からの押罫による折曲げ用の罫線が形成されている。なお、接点Ｐ２から接点Ｑ２まで罫線が設けられているとしたが、罫線の端部と接点Ｐ２、Ｑ２との間に間隔が設けられていてもよく、すなわち、罫線は、接点Ｐ２と接点Ｑ２の間に接点Ｐ２と接点Ｑ２を結ぶ方向に設けられていればよい。
【００４８】
正面側右側面部３０は、折れ線Ｃ１１を介して下側の領域である本体部３２と、上側の領域である上端部（第１上端部）３４とに区画され、背面側右側面部４０は、折れ線Ｃ１２を介して下側の領域である本体部４２と、上側の領域である上端部（第２上端部）４４とに区画される。なお、本体部３２と本体部４２とで本体部２２が構成され、上端部３４と上端部４４とで上端部２４が構成される。つまり、右側面部２０は、折れ線Ｃ１１と折れ線Ｃ１２を介して、本体部２２と上端部２４とに区画されている。
【００４９】
なお、折れ線Ｃ１１、Ｃ１２の水平方向に対する角度は、５〜１０度としたが、５度よりも小さいと、上端部２４が略水平方向になった際の折れ線Ｃ１１と折れ線Ｃ１２間の角度が十分大きくならず、一方、１０度よりも大きいと、上端部２４が略水平方向になった際の折れ線Ｃ１１と折れ線Ｃ１２間の角度は大きくなるが、開口部２０Ｋにおける開口部Ｃ１１、Ｃ１２の位置の幅が狭くなってしまい、開口部２０Ｋの辺部３０ｇ、４０ｇにおける折れ線Ｃ１１、Ｃ１２の位置が把手本体１２０、１７０に接触したり、把手本体の厚み（把手本体１２０の厚みと把手本体１７０の厚みを加算した値）よりも小さくなって、上端部２４の回動に支障が出てしまう。
【００５０】
また、正面側左側面部６０は、正面側右側面部３０と左右対称に形成され、包装箱１の展開状態において、正面側右側面部３０と線対称（左右線対称）に形成されている。すなわち、正面側左側面部６０は、正面部１０の上端よりも上方に突出した部分が幅狭となる形状を呈していて、折れ線Ｃ４に沿った辺部６０ａと、辺部６０ａの上端から連設され、折れ線Ｃ５側に向けて傾斜した（つまり、上側にいくほど折れ線Ｃ５との距離が短くなる）辺部６０ｂと、辺部６０ｂの上端から連設され、上下方向（つまり、折れ線Ｃ４と平行な方向）に形成された辺部６０ｃと、辺部６０ｃの上端から辺部６０ｃに対して鈍角（具体的には、１３５度）に形成された辺部６０ｄと、辺部６０ｄの上端から連設され、辺部６０ｄに対して鈍角（具体的には、１３５度）をなし、正面側左側面部６０の下辺（つまり、辺部６０ｉ）と平行な（つまり、水平方向に形成された）辺部６０ｅと、辺部６０ｅの端部から連設され折れ線Ｃ５に沿って上下方向に形成された辺部６０ｆと、辺部６０ｆの下端から連設され、左側面部５０の上端領域に形成された開口部５０Ｋの辺部に沿って略コ字状の辺部６０ｇと、辺部６０ｇの下端から連設され、折れ線Ｃ５に沿って上下方向に形成された辺部６０ｈと、辺部６０ｈの下端から連設され辺部６０ａの下端にまで形成された辺部６０ｉとを有している。辺部６０ａと辺部６０ｂとは、１５０度の角度をなしている。
【００５１】
辺部６０ｇは、辺部６０ｉと平行な辺部６０ｇ−１と、辺部６０ｇ−１の端部から連設され辺部６０ｇ−１に対して直角をなし折れ線Ｃ５と平行な辺部６０ｇ−２と、辺部６０ｇ−２の下端から連設され辺部６０ｇ−１と平行な辺部６０ｇ−３とを有している。
【００５２】
なお、辺部６０ａ、６０ｂ、６０ｃ、６０ｄ、６０ｅ、６０ｆ、６０ｇ−１、６０ｇ−２、６０ｇ−３、６０ｈ、６０ｉは、いずれも直線状を呈している。
【００５３】
また、背面側左側面部７０は、左側面部５０の展開状態において、折れ線Ｃ５を介して正面側左側面部６０と線対称に形成されている。つまり、背面側左側面部７０は、背面部８０の上端よりも上方に突出した部分が幅狭となる形状を呈していて、折れ線Ｃ６に沿った辺部７０ａと、辺部７０ａの上端から連設され、折れ線Ｃ５側に向けて傾斜した（つまり、上側にいくほど折れ線Ｃ５との距離が短くなる）辺部７０ｂと、辺部７０ｂの上端から連設され、上下方向（つまり、折れ線Ｃ６と平行な方向）に形成された辺部７０ｃと、辺部７０ｃの上端から辺部７０ｃに対して鈍角（具体的には、１３５度）に形成された辺部７０ｄと、辺部７０ｄの上端から連設され、辺部７０ｄに対して鈍角（具体的には、１３５度）をなし、背面側左側面部７０の下辺（つまり、辺部７０ｉ）と平行な（つまり、水平方向に形成された）辺部７０ｅと、辺部７０ｅの端部から連設され折れ線Ｃ５に沿って上下方向に形成された辺部７０ｆと、辺部７０ｆの下端から連設され、左側面部５０の上端領域に形成された開口部５０Ｋの辺部に沿って略コ字状の辺部７０ｇと、辺部７０ｇの下端から連設され、折れ線Ｃ５に沿って上下方向に形成された辺部７０ｈと、辺部７０ｈの下端から連設され辺部７０ａの下端にまで形成された辺部７０ｉとを有している。辺部７０ａと辺部７０ｂとは、１５０度の角度をなしている。
【００５４】
辺部７０ｇは、辺部７０ｉと平行な辺部７０ｇ−１と、辺部７０ｇ−１の端部から連設され辺部７０ｇ−１に対して直角をなし折れ線Ｃ５と平行な辺部７０ｇ−２と、辺部７０ｇ−２の下端から連設され辺部７０ｇ−１と平行な辺部７０ｇ−３とを有している。
【００５５】
なお、辺部７０ａ、７０ｂ、７０ｃ、７０ｄ、７０ｅ、７０ｆ、７０ｇ−１、７０ｇ−２、７０ｇ−３、７０ｈ、７０ｉは、いずれも直線状を呈している。
【００５６】
左側面部５０の上端領域には、正面側左側面部６０と背面側左側面部７０の境界位置に、縦長の開口部（第２開口部）５０Ｋが形成され、正面側左側面部６０における辺部６０ｇと背面側左側面部７０における辺部７０ｇとで、開口部５０Ｋの辺部が形成される。すなわち、辺部６０ｇ−１と辺部７０ｇ−１とで１つの直線状の辺部５０Ｋａが形成され、辺部６０ｇ−３と辺部７０ｇ−３とで１つの直線状の辺部５０Ｋｂが形成され、開口部５０Ｋは、辺部５０Ｋａと辺部６０ｇ−２と辺部７０ｇ−２と辺部５０Ｋｂとを有し、４つの角部にはアールが設けられていることにより略長方形状を呈している。なお、４つの角部のアールを設けずに開口部５０Ｋを長方形状としてもよい。なお、辺部５０Ｋｂは、上下方向において、辺部６０ｂと辺部６０ｃの接点Ｐ３よりも下側に位置しているとともに、辺部７０ｂと辺部７０ｃの接点Ｐ４よりも下側に位置している。つまり、接点Ｐ３から辺部３０ｉまでの距離や接点Ｐ４から辺部４０ｉまでの距離は、辺部５０Ｋｂの辺部６０ｉまでの長さ（辺部７０ｉまでの長さ）よりも短くなっている。
【００５７】
接点Ｐ３と辺部６０ｇ−２間には折れ線（第３折れ線）Ｃ２１が形成され、折れ線Ｃ２１と辺部６０ｇ−２の接点Ｑ３は、高さ方向において、接点Ｐ３よりも上方の位置にあり、これにより、折れ線Ｃ２１は、接点Ｐ３から接点Ｑ３にいくほど上側となるように水平方向（辺部６０ｉの方向）に対して傾斜している。折れ線Ｃ２１の水平方向に対する角度は、５〜１０度となっている。接点Ｐ３は、上方突出領域５０−１（後述）における正面側の辺部（辺部６０ｂ、６０ｃ、６０ｄ）における下端（辺部６０ｂの下端）から上端（辺部６０ｄの上端）までの途中位置（第５位置）であり、接点Ｑ３は、開口部５０Ｋの正面側の辺部（辺部６０ｇ）における下端から上端までの途中位置（第６位置）である。折れ線Ｃ２１は直線状を呈している。
【００５８】
具体的には、接点Ｐ３から接点Ｑ３まで罫線が直線状に形成されており、正面側左側面部６０の外側の面からの押罫による折曲げ用の罫線が形成されている。なお、接点Ｐ３から接点Ｑ３まで罫線が設けられているとしたが、罫線の端部と接点Ｐ３、Ｑ３との間に間隔が設けられていてもよく、すなわち、罫線は、接点Ｐ３と接点Ｑ３の間に接点Ｐ３と接点Ｑ３を結ぶ方向に設けられていればよい。
【００５９】
また、接点Ｐ４と辺部７０ｇ−２間には折れ線（第４折れ線）Ｃ２２が形成され、この折れ線Ｃ２２は、左側面部５０の展開状態において、折れ線Ｃ５に沿った中心線を介して折れ線Ｃ２１と線対称（左右線対称）に形成されている。すなわち、折れ線Ｃ２２と辺部７０ｇ−２の接点Ｑ４は、高さ方向において、接点Ｐ４よりも上方の位置にあり、これにより、折れ線Ｃ２２は、接点Ｐ４から接点Ｑ４にいくほど上側となるように水平方向（辺部７０ｉの方向）に対して傾斜している。折れ線Ｃ２２の水平方向に対する角度は、５〜１０度となっている。つまり、開口部５０Ｋを挟んだ両側に折れ線Ｃ２１と折れ線Ｃ２２とが略ハの字状を呈している。接点Ｐ４は、上方突出領域５０−１（後述）における背面側の辺部（辺部７０ｂ、７０ｃ、７０ｄ）における下端（辺部７０ｂの下端）から上端（辺部７０ｄの上端）までの途中位置（第７位置）であり、接点Ｑ４は、開口部５０Ｋの背面側の辺部（辺部７０ｇ）における下端から上端までの途中位置（第８位置）である。折れ線Ｃ２２は直線状を呈している。
【００６０】
具体的には、接点Ｐ４から接点Ｑ４まで罫線が直線状に形成されており、背面側左側面部７０の外側の面からの押罫による折曲げ用の罫線が形成されている。なお、接点Ｐ４から接点Ｑ４まで罫線が設けられているとしたが、罫線の端部と接点Ｐ４、Ｑ４との間に間隔が設けられていてもよく、すなわち、罫線は、接点Ｐ４と接点Ｑ４の間に接点Ｐ４と接点Ｑ４を結ぶ方向に設けられていればよい。
【００６１】
正面側左側面部６０は、折れ線Ｃ２１を介して下側の領域である本体部６２と、上側の領域である上端部（第３上端部）６４とに区画され、背面側左側面部７０は、折れ線Ｃ２２を介して下側の領域である本体部７２と、上側の領域である上端部（第４上端部）７４とに区画される。なお、本体部６２と本体部７２とで本体部５２が構成され、上端部６４と上端部７４とで上端部５４が構成される。つまり、左側面部５０は、折れ線Ｃ２１と折れ線Ｃ２２を介して、本体部５２と上端部５４とに区画されている。
【００６２】
なお、折れ線Ｃ２１、Ｃ２２の水平方向に対する角度は、５〜１０度としたが、その理由は上記の折れ線Ｃ１１、Ｃ１２の場合と同様である。
【００６３】
なお、折れ線Ｃ１１、Ｃ１２、Ｃ２１、Ｃ２２に沿って、外側の面からの押罫により罫線が形成されているとしたが、内側の面からの押罫による罫線でもよい。ただし、上端部２４、５４は外側に回動されるので、外側の面からの押罫とするのが好ましい。
【００６４】
また、背面部８０は、縦長の長方形状に形成されており、包装箱１の展開状態において、折れ線Ｃ２に沿った中心線を介して左右対称に形成されている。
【００６５】
なお、右側面部２０において、正面部１０の上辺及び背面部８０の上辺よりも上下方向において上方に突出した領域（図６において、一点鎖線よりも上側の領域）が上方突出領域（第１上方突出領域）２０−１となり、上方突出領域２０−１は、正面側右側面部３０において正面部１０の上辺よりも上下方向において上方に突出した領域である上方突出領域３０−１と、背面側右側面部４０において背面部８０の上辺よりも上下方向において上方に突出した領域である上方突出領域４０−１とから構成される。開口部２０Ｋ（開口部２０Ｋの全ての領域）は、上方突出領域２０−１に設けられている。
【００６６】
また、左側面部５０において、正面部１０の上辺及び背面部８０の上辺よりも上下方向において上方に突出した領域（図６において、一点鎖線よりも上側の領域）が上方突出領域（第２上方突出領域）５０−１となり、上方突出領域５０−１は、正面側左側面部６０において正面部１０の上辺よりも上下方向において上方に突出した領域である上方突出領域６０−１と、背面側左側面部７０において背面部８０の上辺よりも上下方向において上方に突出した領域である上方突出領域７０−１とから構成される。開口部５０Ｋ（開口部５０Ｋの全ての領域）は、上方突出領域５０−１に設けられている。
【００６７】
また、糊代部９０は、上下方向に帯状を呈し、背面部８０の内側の面における左側面側の領域に接着される。
【００６８】
また、蓋部（第１蓋部）１００は、正面部１０の上辺から折れ線を介して連設され、略台形形状に半円状の切欠部を設けた形状を呈している。すなわち、蓋部１００は、正面部１０の上辺に沿って形成された辺部１００ａと、辺部１００ａの左側面側の端部から連設され、辺部１００ａに対して１２０度の角度をなす辺部１００ｂと、辺部１００ｂに対して１５０度の角度をなす辺部１００ｃと、辺部１００ｃの辺部１００ｂの反対側の端部から辺部１００ｃに対して直角に形成された（つまり、辺部１００ａと平行に形成された）辺部１００ｄと、辺部１００ｄの辺部１００ｃとは反対側の端部から連設され、半円状の切欠部を形成する辺部１００ｅと、辺部１００ｅの辺部１００ｄとは反対側の端部から連設され、辺部１００ｄの延長線上に形成された辺部１００ｆと、辺部１００ｆの辺部１００ｅとは反対側の端部から連設され、辺部１００ｆに対して直角に形成された辺部１００ｇと、辺部１００ｇの辺部１００ｆとは反対側の端部から連設され、辺部１００ａの右側面側の端部にまで形成された辺部１００ｈとから形成されている。なお、包装箱１の展開状態において、辺部１００ｂは、正面側左側面部６０の辺部６０ｂと切込みを介して隣接し、辺部１００ｃは、辺部６０ｃの一部と切込みを介して隣接し、辺部１００ｈは、正面側右側面部３０の辺部３０ｂと切込みを介して隣接し、辺部１００ｇは、辺部３０ｃの一部と切込みを介して隣接している。蓋部１００を構成する辺部１００ａ〜１００ｈは、辺部１００ｅを除き直線状に形成されている。また、蓋部１００の正面部１０側とは反対側には、半円状の切欠部（第５切欠部）１００Ｋが形成されている。この切欠部１００Ｋは、支持部１３０と支持部１３２間の隙間から連設されている。なお、蓋部１００は、左右線対称の形状に形成されている。
【００６９】
また、把手部（第１把手部）１１０は、横長帯状を呈する把手本体１２０と、把手本体１２０の下端から連設され、蓋部１００から折れ線を介して連設された支持部１３０、１３２と、把手本体１２０から折れ線を介して連設された折返し部１３４とを有している。把手部１１０は、左右線対称の形状に形成されている。
【００７０】
ここで、把手本体（第１把手本体）１２０は、支持部１３０、１３２が連設された部分を除いて、辺部１２０ａ〜辺部１２０ｌを有している。すなわち、把手部１１０の上辺に沿って形成された直線状の辺部１２０ａと、辺部１２０ａの右側面側の端部から形成され、切欠部１２２Ｋを形成するために凹状に形成された辺部１２０ｂと、辺部１２０ｂから連設され、辺部１２０ａの延長線上に形成された直線状の辺部１２０ｃと、辺部１２０ｃの辺部１２０ｂとは反対側の端部から連設され、円弧状（略円弧状としてもよい）に形成された辺部１２０ｄと、辺部１２０ｄの辺部１２０ｃとは反対側の端部から連設され、下方に向けて直線状に形成された辺部１２０ｅと、辺部１２０ｅの下端から連設され、下方の内側に向けて円弧状（略円弧状としてもよい）に形成された辺部１２０ｆと、辺部１２０ａの左側面側の端部から形成され、切欠部１２４Ｋを形成するために凹状に形成された辺部１２０ｇと、辺部１２０ｇから連設され、辺部１２０ａの延長線上に形成された直線状の辺部１２０ｈと、辺部１２０ｈの辺部１２０ｇとは反対側の端部から連設され、円弧状（略円弧状としてもよい）に形成された辺部１２０ｉと、辺部１２０ｉの辺部１２０ｈとは反対側の端部から連設され、下方に向けて直線状に形成された辺部１２０ｊと、辺部１２０ｊの下端から連設され、下方の内側に向けて円弧状（略円弧状としてもよい）に形成された辺部１２０ｋと、辺部１２０ａの下方に辺部１２０ａと平行に形成された辺部１２０ｌとを有している。
【００７１】
把手本体１２０の上辺においては、辺部１２０ｂと辺部１２０ｇが凹状に形成されているので、辺部１２０ｂにより切欠部（第１切欠部）１２２Ｋが形成され、辺部１２０ｇにより切欠部（第２切欠部）１２４Ｋが形成される。つまり、切欠部１２２Ｋが右側面側に設けられ、切欠部１２４Ｋが左側面側に設けられ、切欠部１２２Ｋの具体的な形成位置は、開口部２０Ｋが切欠部１２２Ｋに係止できるように、切欠部１２２Ｋを構成する辺部のうち内側の上下方向の辺部（一対の上下方向の辺部のうち内側の辺部）の左右方向の位置が辺部１３０ｂの左右方向の位置と一致するように設けられ、切欠部１２４Ｋの具体的な形成位置は、開口部５０Ｋが切欠部１２４Ｋに係止できるように、切欠部１２４Ｋを構成する辺部のうち内側の上下方向の辺部（一対の上下方向の辺部のうち内側の辺部）の左右方向の位置が辺部１３２ｂの左右方向の位置と一致するように設けられている。
【００７２】
なお、切欠部１２２Ｋは、把手本体１２０の辺部１２０ａ（把手本体１２０の上辺）に対して直角の一対の辺部と、該一対の辺部の下端から連設され、辺部１２０ａと平行な辺部とにより略コ字状に形成され、同様に、切欠部１２４Ｋは、把手本体１２０の辺部１２０ａに対して直角の一対の辺部と、該一対の辺部の下端から連設され、辺部１２０ａと平行な辺部とにより略コ字状に形成されている。切欠部１２２Ｋ、１２４Ｋを構成する該一対の辺部が辺部１２０ａと直角に形成されている（つまり、上下方向に形成されている）ので、切欠部１２２Ｋ、１２４Ｋは上下方向に形成されているといえる。
【００７３】
また、支持部（正面右側支持部）１３０は、蓋部１００の辺部１００ｆ（つまり、蓋部１００の正面部１０とは反対側の辺部（辺部１００ｄ、１００ｅ、１００ｆ）における右側部分）から折れ線を介して連設され、台形形状の上に方形状をつなげた形状を呈し、辺部１００ｆに沿った直線状の辺部１３０ａと、辺部１３０ａの右側面側の端部から辺部１３０ａに対して直角に辺部１２０ｆの端部にまで形成された直線状の辺部１３０ｂと、辺部１３０ａの左側面側の端部から辺部１３０ａに対して鋭角に傾斜した直線状の辺部１３０ｃと、辺部１３０ｃの上端から辺部１３０ｂと平行に辺部１２０ｌの右側面側の端部にまで形成された辺部１３０ｄとを有している。なお、包装箱１の展開状態において、辺部１３０ｂは、正面側右側面部３０の辺部３０ｃと切込みを介して隣接し、辺部１３０ｄは、折返し部１３４の右側面側の辺部と切込みを介して隣接している。
【００７４】
また、支持部（正面左側支持部）１３２は、蓋部１００の辺部１００ｄ（つまり、蓋部１００の正面部１０とは反対側の辺部（辺部１００ｄ、１００ｅ、１００ｆ）における左側部分）から折れ線を介して連設され、台形形状の上に方形状をつなげた形状を呈し、辺部１００ｄに沿った直線状の辺部１３２ａと、辺部１３２ａの左側面側の端部から辺部１３２ａに対して直角に辺部１２０ｋの端部にまで形成された直線状の辺部１３２ｂと、辺部１３２ａの右側面側の端部から辺部１３２ａに対して鋭角に傾斜した直線状の辺部１３２ｃと、辺部１３２ｃの上端から辺部１３２ｂと平行に辺部１２０ｌの左側面側の端部にまで形成された辺部１３２ｄとを有している。なお、包装箱１の展開状態において、辺部１３２ｂは、正面側左側面部６０の辺部６０ｃと切込みを介して隣接し、辺部１３２ｄは、折返し部１３４の左側面側の辺部と切込みを介して隣接している。
【００７５】
なお、把手本体１２０において、支持部１３０の右側面側の辺部よりも右側面側に突出した部分が右突出領域（第１右突出領域）１２０−１であり、支持部１３２の左側面側の辺部よりも左側面側に突出した部分が左突出領域（第１左突出領域）１２０−２となる。右突出領域１２０−１の上下方向の長さＬ１２０−１（開口部２０Ｋに挿通した状態で切欠部１２２Ｋの位置における開口部２０Ｋの長手方向に沿った長さ（切欠部１２２Ｋの上下方向の長さを含む長さ））は、開口部２０Ｋの長手方向の長さ（上下方向の長さ）Ｌ２０Ｋよりも短く形成され、左突出領域１２０−２の上下方向の長さＬ１２０−２（開口部５０Ｋに挿通した状態で切欠部１２４Ｋの位置における開口部５０Ｋの長手方向に沿った長さ（切欠部１２４Ｋの上下方向の長さを含む長さ））は、開口部５０Ｋの長手方向の長さ（上下方向の長さ）Ｌ５０Ｋよりも短く形成され、これにより、開口部２０Ｋの上端が切欠部１２２Ｋと係合し、開口部５０Ｋの上端が切欠部１２４Ｋと係合している状態から把手部１１０を下方に押し込むことにより、開口部２０Ｋ、５０Ｋの上端と切欠部１２２Ｋ、１２４Ｋの係合が解除される。
【００７６】
なお、仮に、右突出領域１２０−１の長さＬ１２０−１が開口部２０Ｋの長さＬ２０Ｋと同一であり、左突出領域１２０−２の長さＬ１２０−２が開口部５０Ｋの長さＬ５０Ｋと同一であっても、右突出領域１２０−１の基端に下端から切欠部を形成し（つまり、左右方向において、切欠部１２２Ｋの位置に下端から切欠部を形成する）、左突出領域１２０−２の基端に下端から切欠部を形成する（つまり、左右方向において、切欠部１２４Ｋの位置に下端から切欠部を形成する）ことにより、把手部１１０を下方に押し込むことにより、開口部２０Ｋ、５０Ｋよりも下側の領域がそれらの切欠部に入り込んで、開口部２０Ｋ、５０Ｋの上端と切欠部１２２Ｋ、１２４Ｋの係合が解除される。
【００７７】
また、折返し部１３４は、把手本体１２０の下辺（辺部１２０ｌ）から折れ線を介して連設され、横長の長方形状を呈している。なお、折返し部１３４の把手本体１２０側の辺部から該辺部と反対側の辺部までの長さ（包装箱１の展開状態において、上下方向の長さ）は、把手本体１２０の辺部１２０ａと辺部１２０ｌ間の長さ（上下方向の長さ）よりも小さく形成されている。
【００７８】
また、蓋部（第２蓋部）１５０は、背面部８０の上辺から折れ線を介して連設され、略台形形状に半円状の切欠部を設けた形状を呈している。この蓋部１５０は、蓋部１００と同大同形状に形成されている。すなわち、蓋部１５０は、背面部８０の上辺に沿って形成された辺部１５０ａと、辺部１５０ａの左側面側の端部から連設され、辺部１５０ａに対して１２０度の角度をなす辺部１５０ｂと、辺部１５０ｂに対して１５０度の角度をなす辺部１５０ｃと、辺部１５０ｃの辺部１５０ｂの反対側の端部から辺部１５０ｃに対して直角に形成された（つまり、辺部１５０ａと平行に形成された）辺部１５０ｄと、辺部１５０ｄの辺部１５０ｃとは反対側の端部から連設され、半円状の切欠部を形成する辺部１５０ｅと、辺部１５０ｅの辺部１５０ｄとは反対側の端部から連設され、辺部１５０ｄの延長線上に形成された辺部１５０ｆと、辺部１５０ｆの辺部１５０ｅとは反対側の端部から連設され、辺部１５０ｆに対して直角に形成された辺部１５０ｇと、辺部１５０ｇの辺部１５０ｆとは反対側の端部から連設され、辺部１５０ａの右側面側の端部にまで形成された辺部１５０ｈとから形成されている。なお、包装箱１の展開状態において、辺部１５０ｈは、背面側右側面部４０の辺部４０ｂと切込みを介して隣接し、辺部１５０ｇは、辺部４０ｃの一部と切込みを介して隣接している。蓋部１５０を構成する辺部１５０ａ〜１５０ｈは、辺部１５０ｅを除き直線状に形成されている。また、蓋部１５０の背面部８０側とは反対側には、半円状の切欠部（第６切欠部）１５０Ｋが形成されている。この切欠部１５０Ｋは、支持部１８０と支持部１８２間の隙間から連設されている。なお、蓋部１５０は、左右線対称の形状に形成されている。
【００７９】
また、把手部（第２把手部）１６０は、横長帯状を呈する把手本体１７０と、把手本体１７０の下端から連設され、蓋部１５０から折れ線を介して連設された支持部１８０、１８２と、把手本体１７０から折れ線を介して連設された折返し部１８４とを有している。把手部１６０は、左右線対称の形状に形成されている。把手部１６０は、把手部１１０と同大同形状に形成されている。
【００８０】
ここで、把手本体（第２把手本体）１７０は、把手本体１２０と同大同形状に形成されていて、把手本体１７０の上辺においては、切欠部（第３切欠部）１７２Ｋと切欠部（第４切欠部）１７４Ｋが形成される。つまり、切欠部１７２Ｋが右側面側に設けられ、切欠部１７４Ｋが左側面側に設けられ、切欠部１７２Ｋの具体的な形成位置は、開口部２０Ｋが切欠部１７２Ｋに係止できるように、切欠部１７２Ｋを構成する辺部のうち内側の上下方向の辺部（一対の上下方向の辺部のうち内側の辺部）の左右方向の位置が辺部１８０ｂの左右方向の位置と一致するように設けられ、切欠部１７４Ｋの具体的な形成位置は、開口部５０Ｋが切欠部１７４Ｋに係止できるように、切欠部１７４Ｋを構成する辺部のうち内側の上下方向の辺部（一対の上下方向の辺部のうち内側の辺部）の左右方向の位置が辺部１８２ｂの左右方向の位置と一致するように設けられている。
【００８１】
なお、切欠部１７２Ｋは、把手本体１７０の上辺（把手本体１２０の辺部１２０ａに対応する辺部）に対して直角の一対の辺部と、該一対の辺部の下端から連設され、該上辺と平行な辺部とにより略コ字状に形成され、同様に、切欠部１７４Ｋは、把手本体の上辺に対して直角の一対の辺部と、該一対の辺部の下端から連設され、該上辺と平行な辺部とにより略コ字状に形成されている。切欠部１７２Ｋ、１７４Ｋを構成する該一対の辺部が該上辺と直角に形成されている（つまり、上下方向に形成されている）ので、切欠部１７２Ｋ、１７４Ｋは上下方向に形成されているといえる。
【００８２】
また、支持部（背面右側支持部）１８０は、蓋部１５０の辺部１５０ｆ（つまり、蓋部１５０の背面部８０とは反対側の辺部（辺部１５０ｄ、１５０ｅ、１５０ｆ）における右側部分）から折れ線を介して連設され、台形形状の上に方形状をつなげた形状を呈し、辺部１５０ｆに沿った直線状の辺部１８０ａと、辺部１８０ａの右側面側の端部から辺部１８０ａに対して直角に把手本体１７０の下端にまで形成された直線状の辺部１８０ｂと、辺部１８０ａの左側面側の端部から辺部１８０ａに対して鋭角に傾斜した直線状の辺部１８０ｃと、辺部１８０ｃの上端から辺部１８０ｂと平行に把手本体１７０の下端にまで形成された辺部１８０ｄとを有している。なお、包装箱１の展開状態において、辺部１８０ｂは、背面側右側面部４０の辺部４０ｃと切込みを介して隣接し、辺部１８０ｄは、折返し部１８４の右側面側の辺部と切込みを介して隣接している。
【００８３】
また、支持部（背面左側支持部）１８２は、蓋部１５０の辺部１５０ｄ（つまり、蓋部１５０の背面部８０とは反対側の辺部（辺部１５０ｄ、１５０ｅ、１５０ｆ）における左側部分）から折れ線を介して連設され、台形形状の上に方形状をつなげた形状を呈し、辺部１５０ｄに沿った直線状の辺部１８２ａと、辺部１８２ａの左側面側の端部から辺部１８２ａに対して直角に把手本体１７０の下端にまで形成された直線状の辺部１８２ｂと、辺部１８２ａの右側面側の端部から辺部１８２ａに対して鋭角に傾斜した直線状の辺部１８２ｃと、辺部１８２ｃの上端から辺部１８２ｂと平行に把手本体１７０の下端にまで形成された辺部１８２ｄとを有している。辺部１８２ｄは、折返し部１８４の左側面側の辺部と切込みを介して隣接している。
【００８４】
なお、把手本体１７０において、支持部１８０の右側面側の辺部よりも右側面側に突出した部分が右突出領域（第２右突出領域）１７０−１であり、支持部１８２の左側面側の辺部よりも左側面側に突出した部分が左突出領域（第２左突出領域）１７０−２となる。右突出領域１７０−１の上下方向の長さＬ１７０−１（開口部２０Ｋに挿通した状態で切欠部１７２Ｋの位置における開口部２０Ｋの長手方向に沿った長さ（切欠部１７２Ｋの上下方向の長さを含む長さ））は、開口部２０Ｋの長手方向の長さ（上下方向の長さ）Ｌ２０Ｋよりも短く形成され、左突出領域１７０−２の上下方向の長さＬ１７０−２（開口部５０Ｋに挿通した状態で切欠部１２２Ｋの位置における開口部５０Ｋの長手方向に沿った長さ（切欠部１７４Ｋの上下方向の長さを含む長さ））は、開口部５０Ｋの長手方向の長さ（上下方向の長さ）Ｌ５０Ｋよりも短く形成され、これにより、開口部２０Ｋの上端が切欠部１７２Ｋと係合し、開口部５０Ｋの上端が切欠部１７４Ｋと係合している状態から把手部１６０を下方に押し込むことにより、開口部２０Ｋ、５０Ｋの上端と切欠部１７２Ｋ、１７４Ｋの係合が解除される。
【００８５】
なお、仮に、右突出領域１７０−１の長さＬ１７０−１が開口部２０Ｋの長さＬ２０Ｋと同一であり、左突出領域１７０−２の長さＬ１７０−２が開口部５０Ｋの長さＬ５０Ｋと同一であっても、右突出領域１７０−１の基端に下端から切欠部を形成し（つまり、左右方向において、切欠部１７２Ｋの位置に下端から切欠部を形成する）、左突出領域１７０−２の基端に下端から切欠部を形成する（つまり、左右方向において、切欠部１７４Ｋの位置に下端から切欠部を形成する）ことにより、把手部１６０を下方に押し込むことにより、開口部２０Ｋ、５０Ｋよりも下側の領域がそれらの切欠部に入り込んで、開口部２０Ｋ、５０Ｋの上端と切欠部１７２Ｋ、１７４Ｋの係合が解除される。
【００８６】
また、折返し部１８４は、把手本体１７０の下辺（辺部１８０ｄと辺部１８２ｄ間の辺部）から折れ線を介して連設され、横長の長方形状を呈している。なお、折返し部１３４の把手本体１２０側の辺部から該辺部と反対側の辺部までの長さ（包装箱１の展開状態において、上下方向の長さ）は、把手本体１２０の上下方向の長さよりも小さく形成されている。
【００８７】
また、底面部１９０は、背面部８０の下辺から折れ線を介して連設されたフラップ２００と、背面側左側面部７０の下辺から折れ線を介して連設されたフラップ２１０と、正面側左側面部６０の下辺から折れ線を介して連設されたフラップ２２０と、正面部１０の下辺から折れ線を介して連設されたフラップ２３０と、正面側右側面部３０の下辺から折れ線を介して連設されたフラップ２４０と、背面側右側面部４０の下辺から折れ線を介して連設されたフラップ２５０とを有している。
【００８８】
ここで、フラップ２００は、先端側にいくほど幅狭となるテーパ状を呈している。
【００８９】
また、フラップ２１０は、背面側左側面部７０の下辺から連設されたフラップ本体２１２と、フラップ本体２１２から折れ線を介して連設された突状部２１４とを有している。      
【００９０】
また、フラップ２２０は、略三角形状における先端領域が突出した形状を有し、略三角形状の本体部２２２と、本体部２２２から連設された突状部２２４とを有している。このフラップ２２０は、フラップ２１０の突状部２１４と接着されている。
【００９１】
また、フラップ２３０は、フラップ２００と同一の構成であり、先端側にいくほど幅狭となるテーパ状を呈している。
【００９２】
また、フラップ２４０は、フラップ２１０と同一の構成であり、正面側右側面部３０の下辺から連設されたフラップ本体２４２と、フラップ本体２４２から折れ線を介して連設された突状部２４４とを有している。
【００９３】
また、フラップ２５０は、フラップ２２０と同一の構成であり、略三角形状における先端領域が突出した形状を有し、略三角形状の本体部２５２と、本体部２５２から連設された突状部２５４とを有している。このフラップ２５０は、フラップ２４０の突状部２４４と接着されている。
【００９４】
上記構成の包装箱１の使用方法について説明する。包装箱１において、開口部２０Ｋの上端と切欠部１２２Ｋ、１７２Ｋとを係合し、開口部５０Ｋの上端と切欠部１２４Ｋ、１７４Ｋとを係合して、蓋部１００、１５０を閉状態でロックした状態は、図１、図２に示すようになり、図１の状態から上端部２４を本体部２２に対して外側に回動させるとともに、上端部５４を本体部５２に対して外側に回動することによりロックを解除した状態は、図３に示すようになり、さらに、蓋部１００を正面部１０に対して外側に回動させるとともに、蓋部１５０を背面部８０に対して外側に回動させることにより、スリーブ状部５の上方を開放した状態は、図４に示すようになる。なお、図３、図４に示すように、折返し部１３４は、把手本体１２０に対して内側に折り返した状態となっており、折返し部１８４は、把手本体１７０に対して内側に折り返した状態となっている。
【００９５】
なお、図１、２のように蓋部１００、１５０を閉状態でロックした状態においては、蓋部１００の辺部１００ｂは正面側左側面部６０の内側の面に沿った状態となり、辺部１００ｈは正面側右側面部３０の内側の面に沿った状態となり、支持部１３０の辺部１３０ｂは折れ線Ｃ２に沿った状態となり、支持部１３２の辺部１３２ｂは折れ線Ｃ５に沿った状態となり、また、蓋部１５０の辺部１５０ｂは背面側左側面部７０の内側の面に沿った状態となり、辺部１５０ｈは背面側右側面部４０の内側の面に沿った状態となり、支持部１８０の辺部１８０ｂは折れ線Ｃ２に沿った状態となり、支持部１８２の辺部１８２ｂは折れ線Ｃ５に沿った状態となる。
【００９６】
また、図１、２のように蓋部１００、１５０を閉状態でロックした状態においては、上端部３４は本体部３２に対して折り曲げられていない状態であり（つまり、正面側右側面部３０の面（外面）は平面状となっている）、上端部４４は本体部４２に対して折り曲げられていない状態であり（つまり、背面側右側面部４０の面（外側）は平面状となっている）、上端部６４は本体部６２に対して折り曲げられていない状態であり（つまり、正面側左側面部６０の面（外側）は平面状となっている）、上端部７４は本体部７２に対して折り曲げられていない状態となっている（つまり、背面側左側面部７０の面（外面）は平面状となっている）。
【００９７】
また、包装箱１は扁平状に折り畳むことができ、正面側左側面部６０と背面側左側面部７０間の角度を小さくするとともに、正面側右側面部３０と背面側右側面部４０間の角度を小さくすることにより、スリーブ状部５を畳んだ状態とすることができ、その際には、底面部１９０は、スリーブ状部５内に畳まれた状態となる。
【００９８】
包装箱１が折り畳まれた状態から正面側左側面部６０と背面側左側面部７０間の角度を大きくするとともに、正面側右側面部３０と背面側右側面部４０間の角度を大きくすることにより、スリーブ状部５を六角筒状に立体的に形成することにより、底面部１９０を構成する各部がそれらが連設されたスリーブ状部５における部材に対して立ち上がっていき、フラップ２００が突状部２１４及びフラップ２２０の上側に重なるとともに、フラップ２３０が突状部２４４及びフラップ２５０の上側に重なり、フラップ本体２１２がフラップ２００の上側に重なるとともに、フラップ本体２４２がフラップ２３０の上側に重なり、フラップ２１０におけるフラップ本体２１２と突状部２１４間の切欠部２１０Ｋとフラップ２４０におけるフラップ本体２４２と突状部２４４間の切欠部２４０Ｋとが互いに係止して底面部１９０が図５に示すように、平板状にロックされる。図１〜図４の状態においては、包装箱１の底面側は図５に示す構成となっている。
【００９９】
ここで、蓋部１００、１５０を閉状態でロックした状態（図１、図２の状態）からロックを解除した状態（図３の状態）にする場合の作用について説明する。
【０１００】
蓋部１００と蓋部１５０が水平状態では、開口部２０Ｋの上端と切欠部１２２Ｋ、１７２Ｋとが係合し、開口部５０Ｋの上端と切欠部１２４Ｋ、１７４Ｋとが係合しているので、把手部１１０、１６０を下方に押すことにより、それらの係合を解除して、上端部２４、５４を外側に回動することができるようにする。なお、上端部２４、５４を内側に回動させて、開口部２０Ｋの上端と切欠部１２２Ｋ、１７２Ｋとを係合させ、開口部５０Ｋの上端と切欠部１２４Ｋ、１７４Ｋとを係合させる場合も、把手部１１０、１６０を下方に押した状態で回動させる。
【０１０１】
なお、本実施例において、開口部２０Ｋ、５０Ｋが上下方向に形成されるとともに、切欠部１２２Ｋ、１２４Ｋ、１７２Ｋ、１７４Ｋが上下方向に形成されているので、開口部２０Ｋの上端と切欠部１２２Ｋ、１７２Ｋとの係合や開口部５０Ｋの上端と切欠部１２４Ｋ、１７４Ｋとの係合やそれらの解除を容易に行なうことができる。
【０１０２】
なお、開口部２０Ｋの上端と切欠部１２２Ｋ、１７２Ｋとが係合している状態（この場合における上端部２４の状態が第１状態であり、上端部５４の状態が第３状態となる）では、上端部３４と上端部４４とが上面視において鈍角（具体的には、１２０度）をなすので、辺部２０Ｋａ（辺部３０ｇ−１と辺部４０ｇ−１からなる辺部）は屈曲した状態で切欠部１２２Ｋにおける水平方向の辺部と切欠部１７２Ｋにおける水平方向の辺部に接し、同様に、開口部５０Ｋの上端と切欠部１２４Ｋ、１７４Ｋとが係合している状態では、上端部６４と上端部７４とが上面視において鈍角（具体的には、１２０度）をなすので、辺部５０Ｋａ（辺部６０ｇ−１と辺部７０ｇ−１からなる辺部）は屈曲した状態で切欠部１２４Ｋにおける水平方向の辺部と切欠部１７４Ｋにおける水平方向の辺部に接する。開口部２０Ｋの上端と切欠部１２２Ｋ、１７２Ｋとが係合している状態は、図９（ａ）、図１１（ａ）、図１３（ａ）に示すようになる。
【０１０３】
上端部２４を回動する場合と上端部５４を回動する場合とは同様の作用となるので、上端部２４を例にとって説明すると、上端部２４を本体部２２に対して外側に傾けると、正面側右側面部３０と背面側右側面部４０とが鈍角（具体的には、１２０度）をなしているので、図９（ｂ）、図１１（ｂ）、図１３（ｂ）に示すように、本体部２２の上端領域２２−１が内側（つまり、本体部２２の内側の面の側）に撓む。上端領域２２−１は、正面側右側面部３０の本体部３２の上端領域３２−１と背面側右側面部４０の本体部４２の上端領域４２−１とからなるので、上端領域３２−１と上端領域４２−１が内側に撓むことになる。上端領域３２−１は、折れ線Ｃ１１と仮想直線（第１仮想直線）Ｄ１１（接点Ｐ１と接点Ｒ１（辺部３０ｇ−２と辺部３０ｇ−３が接する接点）（つまり、開口部２０Ｋの下端）を結ぶ仮想直線）と辺部３０ｇ−２により囲まれる略三角形状の領域であり、上端領域４２−１は、折れ線Ｃ１２と仮想直線（第２仮想直線）Ｄ１２（接点Ｐ２と接点Ｒ２（辺部３０ｇ−２と辺部３０ｇ−３が接する接点）（つまり、開口部２０Ｋの下端）を結ぶ仮想直線）と辺部４０ｇ−２により囲まれる略三角形状の領域である。
【０１０４】
上端領域３２−１が内側に撓むことにより、折れ線Ｃ１１は、図１６に示すように、接点Ｐ１を中心に内側に回動し、上端領域４２−１が内側に撓むことにより、折れ線Ｃ１２は、図１６に示すように、接点Ｐ２を中心に内側に回動し、折れ線Ｃ１１と折れ線Ｃ１２間の角度は、上面視において、上端部２４を本体部２２に対して傾斜させる前の状態で、α１１であったのに対して、上端部２４を傾斜させることにより、α１２となり、折れ線Ｃ１１と折れ線Ｃ１２がなす角度が大きくなる。なお、折れ線Ｃ１１と折れ線Ｃ１２とは開口部２０Ｋを介して設けられているので、折れ線Ｃ１１と折れ線Ｃ１２間の角度とは、厳密には、折れ線Ｃ１１の延長線（折れ線Ｃ１２側への延長線）と折れ線Ｃ１２の延長線（折れ線Ｃ１１側への延長線）間の角度であり、折れ線Ｃ１１と折れ線Ｃ１２がなす角度とは、厳密には、折れ線Ｃ１１の延長線（折れ線Ｃ１２側への延長線）と折れ線Ｃ１２の延長線（折れ線Ｃ１１側への延長線）とがなす角度である。
【０１０５】
そして、図１０（ａ）、図１２（ａ）、図１４（ａ）に示すように、上端部２４を本体部２２に対してさらに外側に傾斜させることにより、さらに、上端領域３２−１、４２−１が内側に撓み、折れ線Ｃ１１、Ｃ１２が内側に回動して、折れ線Ｃ１１と折れ線Ｃ１２間の角度が大きくなり、上端部２４が略水平方向となった際に（上端部２４における上端部３４と上端部４４間の折れ線Ｃ２が略水平方向となった際）、上端領域３２−１、４２−１の内側への撓みが最も大きくなり、折れ線Ｃ１１、１２の内側への回動角度が大きくなる。
【０１０６】
上端部２４が略水平方向となった際には、折れ線Ｃ１１と折れ線Ｃ１２がなす角度α１３は、上面視において、図１６に示すようにかなり大きくなり（略１６０度になる）、よって、上端部２４を容易に本体部２２に対して水平方向よりも下方に回動させて、図１０（ｂ）、図１２（ｂ）、図１４（ｂ）に示すように、上端部２４の先端が斜め下方に向いて上端部２４が本体部２２に対して折り返した状態とすることができる（つまり、上端部２４が本体部２２に対して斜め下方に折曲した状態である第２状態となる）。
【０１０７】
ここで、折れ線Ｃ１１と折れ線Ｃ１２とが略ハの字状を呈しているので、その分、上端領域３２−１、４２−１が内側に撓んだ際に、折れ線Ｃ１１、Ｃ１２の内側への回動角度が大きくなり、よって、折れ線Ｃ１１と折れ線Ｃ１２がなす鈍角の角度が大きくなるので、上端部２４を容易に水平方向を経て外側に回動させて、本体部２２に対して折り返した状態とすることができる。
【０１０８】
つまり、仮に、折れ線Ｃ１１、Ｃ１２が略ハの字ではなく水平方向に形成されているとした場合には（接点Ｐ１、Ｐ２から水平方向に形成された折れ線を折れ線Ｃ１１’、Ｃ１２’とする）、上端部２４を外側にある角度回動させた場合に、略ハの字状の折れ線Ｃ１１、１２が図１６のＣ１１（Ａ）、Ｃ１２（Ａ）に示す位置であるのに対して、水平方向に形成された折れ線Ｃ１１’、Ｃ１２’は図１６の折れ線Ｃ１１’（Ａ）、折れ線Ｃ１２’（Ａ）に示す位置となり、上面視において、折れ線Ｃ１１’（Ａ）、折れ線Ｃ１２’（Ａ）がなす角度α１２’は、角度α１２よりも小さく、上端部２４の回動が困難である。
【０１０９】
すなわち、上端部２４が傾斜していない状態（つまり、上方に立設した状態）（図９（ａ）、図１１（ａ）、図１３（ａ））から上端部２４が本体部２２に対して折り返した状態（図１０（ｂ）、図１２（ｂ）、図１４（ｂ））に移行する際に、上端部２４が略水平方向の場合が最も上端部２４に力（回動させる力）を加える必要があるが、その際、折れ線Ｃ１１と折れ線Ｃ１２がなす角度を大きくできるので、少ない力で回動させることができる。なお、上端部２４を外側に回動させて、上端部２４が略水平方向の状態を過ぎると、上端領域３２−１、４２−１の撓みがもとに戻ろうとして、折れ線Ｃ１１、Ｃ１２がなす角度が小さくなり、上端部２４を回動させる力を特に加えなくても、上端部２４が斜め下方に折り返した状態となる。
【０１１０】
また、上端部２４を本体部２２に対して折り返した状態（図１０（ｂ）、図１２（ｂ）、図１４（ｂ））から上端部２４が傾斜していない状態（図９（ａ）、図１１（ａ）、図１３（ａ））に移行する場合には、上端部２４が略水平方向の位置となるまで、上端領域３２−１、４２−１が徐々に撓んで、折れ線Ｃ１１と折れ線Ｃ１２間の角度が大きくなり、上端部２４が略水平方向の状態で折れ線Ｃ１１と折れ線Ｃ１２間の角度が最も大きくなり、その後、上端部２４が立ち上がるに従い、折れ線Ｃ１１と折れ線Ｃ１２間の角度が小さくなって、上端領域３２−１、４２−１の撓みも小さくなる。つまり、折れ線Ｃ１１と折れ線Ｃ１２間の角度の変化（つまり、角度の増加と減少）は、上端部２４が略水平方向の位置で反転し、その位置が、第１状態から第２状態までの途中位置である第１回動途中位置となる。この場合も、上端部２４が略水平方向の場合が最も上端部２４に力（回動させる力）を加える必要があるが、上端部２４が略水平方向の状態で折れ線Ｃ１１と折れ線Ｃ１２間の角度が最も大きくなるので、上端部２４を容易に水平方向を経て上方に回動させることができ、結果として、容易に蓋部１００、１５０を閉状態でロックした状態とすることができる。なお、上端部２４を内側に（上方にとしてもよい）回動させて、上端部２４が略水平方向の状態を過ぎると、上端領域３２−１、４２−１の撓みがもとに戻ろうとして、折れ線Ｃ１１と折れ線Ｃ１２がなす角度が小さくなり、上端部２４を回動させる力を特に加えなくても、上端部２４が傾斜していない状態となる。
【０１１１】
なお、開口部２０Ｋの辺部２０Ｋｂが上下方向において接点Ｐ１、Ｐ２よりも下側に位置しているので、仮想直線Ｄ１１、Ｄ１２が開口部２０Ｋに向けて下方に傾斜し、折れ線Ｃ１１と仮想直線Ｄ１１間の角度や折れ線Ｃ１２と仮想直線Ｄ１２間の角度を大きく確保でき、上端領域３２−１、４２−１が内側に撓んだ際に、折れ線Ｃ１１、Ｃ１２の回動角度を大きくでき、結果として、折れ線Ｃ１１と折れ線Ｃ１２がなす角度が大きくなって、上端部２４を折り返しやすくすることができる。
【０１１２】
上端部５４を回動する場合も、上端部２４を回動させる場合と同様であり、折れ線Ｃ２１と折れ線Ｃ２２とが略ハの字状を呈しているので、その分、上端領域６２−１、７２−１が内側に撓んだ際に、折れ線Ｃ２１、Ｃ２２の内側への回動角度が大きくなり、よって、折れ線Ｃ２１と折れ線Ｃ２２がなす鈍角の角度が大きくなるので、上端部５４を容易に外側に回動させて、本体部５２に対して折り返した状態とすることができる。
【０１１３】
つまり、上端部５４を本体部５２に対して外側に傾けると、正面側左側面部６０と背面側右左側面部７０とが鈍角（具体的には、１２０度）をなしているので、図９（ｂ）、図１１（ｂ）、図１３（ｂ）に示すように、本体部５２の上端領域５２−１が内側（つまり、本体部５２の内側の面の側）に撓む。上端領域５２−１は、正面側左側面部６０の本体部６２の上端領域６２−１と背面側左側面部７０の本体部７２の上端領域７２−１とからなるので、上端領域６２−１と上端領域７２−１が内側に撓むことになる。上端領域６２−１は、折れ線Ｃ２１と仮想直線（第３仮想直線）Ｄ２１（接点Ｐ３と接点Ｒ３（辺部６０ｇ−２と辺部６０ｇ−３が接する接点）（つまり、開口部５０Ｋの下端）を結ぶ仮想直線）と辺部６０ｇ−２により囲まれる略三角形状の領域であり、上端領域７２−１は、折れ線Ｃ２２と仮想直線（第４仮想直線）Ｄ２２（接点Ｐ４と接点Ｒ４（辺部７０ｇ−２と辺部７０ｇ−３が接する接点）（つまり、開口部５０Ｋの下端）を結ぶ仮想直線）と辺部７０ｇ−２により囲まれる略三角形状の領域である。
【０１１４】
上端領域６２−１が内側に撓むことにより、折れ線Ｃ２１は、図１６に示すように、接点Ｐ３を中心に内側に回動し、上端領域７２−１が内側に撓むことにより、折れ線Ｃ２２は、図１６に示すように、接点Ｐ４を中心に内側に回動し、折れ線Ｃ２１と折れ線Ｃ２２間の角度は、上面視において、上端部５４を本体部５２に対して傾斜させる前の状態で、α１１であったのに対して、上端部５４を傾斜させることにより、α１２となり、折れ線Ｃ２１と折れ線Ｃ２２がなす角度が大きくなる。なお、折れ線Ｃ２１と折れ線Ｃ２２とは開口部５０Ｋを介して設けられているので、折れ線Ｃ２１と折れ線Ｃ２２間の角度とは、厳密には、折れ線Ｃ２１の延長線（折れ線Ｃ２２側への延長線）と折れ線Ｃ２２の延長線（折れ線Ｃ２１側への延長線）間の角度であり、折れ線Ｃ２１と折れ線Ｃ２２がなす角度とは、厳密には、折れ線Ｃ２１の延長線（折れ線Ｃ２２側への延長線）と折れ線Ｃ２２の延長線（折れ線Ｃ２１側への延長線）とがなす角度である。
【０１１５】
そして、図１０（ａ）、図１２（ａ）、図１４（ａ）に示すように、上端部５４を本体部５２に対してさらに外側に傾斜させることにより、さらに、上端領域６２−１、７２−１が内側に撓み、折れ線Ｃ２１、Ｃ２２が内側に回動して、折れ線Ｃ２１と折れ線Ｃ２２間の角度が大きくなり、上端部５４が略水平方向となった際に（上端部５４における上端部６４と上端部７４間の折れ線Ｃ５が略水平方向となった際）、上端領域６２−１、７２−１の内側への撓みが最も大きくなり、折れ線Ｃ２１、２２の内側への回動角度が大きくなる。なお、図１５は、図９（ｂ）、図１１（ｂ）、図１３（ｂ）の状態と図１０（ａ）、図１２（ａ）、図１４（ａ）の状態の間の状態を示している。
【０１１６】
上端部５４が略水平方向となった際には、折れ線Ｃ２１と折れ線Ｃ２２がなす角度α１３は、上面視において、図１６に示すようにかなり大きくなり（略１６０度になる）、よって、上端部５４を容易に本体部５２に対して水平方向を経て水平方向よりも下方に回動させて、図１０（ｂ）、図１２（ｂ）、図１４（ｂ）に示すように、上端部５４の先端が斜め下方に向いて上端部２４が本体部２２に対して折り返した状態とすることができる。（つまり、上端部５４が本体部５２に対して斜め下方に折曲した状態である第４状態となる）。
【０１１７】
ここで、折れ線Ｃ２１と折れ線Ｃ２２とが略ハの字状を呈しているので、その分、上端領域６２−１、７２−１が内側に撓んだ際に、折れ線Ｃ２１、Ｃ２２の内側への回動角度が大きくなり、よって、折れ線Ｃ２１と折れ線Ｃ２２がなす鈍角の角度が大きくなるので、上端部５４を容易に外側に回動させて、本体部２２に対して折り返した状態とすることができる。
【０１１８】
また、上端部５４が本体部５２に対して折り返した状態（図１０（ｂ）、図１２（ｂ）、図１４（ｂ））から上端部５４が傾斜していない状態（図９（ａ）、図１１（ａ）、図１３（ａ））に移行する場合には、上端部５４が略水平方向の位置となるまで、上端領域６２−１、７２−１が徐々に撓んで、折れ線Ｃ２１と折れ線Ｃ２２間の角度が大きくなり、上端部５４が略水平方向の状態で折れ線Ｃ２１と折れ線Ｃ２２間の角度が最も大きくなり、その後、上端部５４が立ち上がるに従い、折れ線Ｃ２１と折れ線Ｃ２２間の角度が小さくなって、上端領域６２−１、７２−１の撓みも小さくなる。つまり、折れ線Ｃ２１と折れ線Ｃ２２間の角度の変化（つまり、角度の増加と減少）は、上端部５４が略水平方向の位置で反転し、その位置が、第３状態から第４状態までの途中位置である第２回動途中位置となる。よって、上端部５４が略水平方向の状態で折れ線Ｃ２１と折れ線Ｃ２２間の角度が最も大きくなるので、上端部５４を容易に水平方向を経て上方に回動させることができ、結果として、容易に蓋部１００、１５０を閉状態でロックした状態とすることができる。なお、上端部５４を内側に（上方にとしてもよい）回動させて、上端部５４が略水平方向の状態を過ぎると、上端領域６２−１、７２−１の撓みがもとに戻ろうとして、折れ線Ｃ２１と折れ線Ｃ２２がなす角度が小さくなり、上端部５４を回動させる力を特に加えなくても、上端部５４が傾斜していない状態となる。
【０１１９】
なお、開口部５０Ｋの辺部５０Ｋｂが上下方向において接点Ｐ３、Ｐ４よりも下側に位置しているので、仮想直線Ｄ２１、Ｄ２２が開口部２０Ｋに向けて下方に傾斜し、折れ線Ｃ２１と仮想直線Ｄ２１間の角度や折れ線Ｃ２２と仮想直線Ｄ２２間の角度を大きく確保でき、上端領域６２−１、７２−１が内側に撓んだ際に、折れ線Ｃ２１、Ｃ２２の回動角度を大きくでき、結果として、折れ線Ｃ２１と折れ線Ｃ２２がなす角度が大きくなって、上端部５４を折り返しやすくすることができる。
【０１２０】
なお、包装箱１は、具体的には、瓶を収納するものであり、瓶を包装箱１に収納するには、図１７に示すように、スリーブ状部５の上方を開放した状態で、瓶を収納し、その後、図３のように、蓋部１００、１５０を内側に回動して閉じた状態とし（つまり、蓋部１００、１５０は、右側面部２０と左側面部５０の間に位置する）、その後、２つの把手部１１０、１６０を重ねた状態で上端部２４、５４を内側に回動させることにより、開口部２０Ｋの上端と切欠部１２２Ｋ、１７２Ｋとが係合し、開口部５０Ｋの上端と切欠部１２４Ｋ、１７４Ｋとを係合して、図１８に示す状態となる。
【０１２１】
なお、図１８の状態においては、切欠部１００Ｋと切欠部１５０Ｋとが対向した状態となり、被収納物としての瓶が切欠部１００Ｋ、１５０Ｋから上方に突出した状態で切欠部１００Ｋ、１５０Ｋにより支持される。
【０１２２】
なお、上記の説明では、蓋部１００、１５０が略台形形状を呈し、支持部１３０、１３２、１８０、１８２の横方向における外側の辺部１３０ｂ、１３２ｂ、１８０ｂ、１８２ｂが、蓋部１００、１５０を閉状態でロックした状態で上下方向となる（つまり、辺部１３０ｂは辺部１３０ａに対して直角であり、辺部１３２ｂは辺部１３２ａに対して直角であり、辺部１８０ｂは辺部１８０ａに対して直角であり、辺部１８２ｂは辺部１８２ａに対して直角である）ものとして説明したが、図１９の包装箱１’に示すように、展開状態の蓋部１００と把手部１１０において、蓋部１００と把手部１１０の境界をなす角部を斜めに面取りした構成とするとともに、展開状態の蓋部１５０と把手部１６０において、蓋部１５０と把手部１６０の境界をなす角部を斜めに面取りした構成としてもよい。
【０１２３】
つまり、蓋部１００における左側面側の構成は、辺部（第１辺部）１００ａから連設された辺部（第２辺部）１００ｂと辺部（第３辺部）１００ｃ’と辺部１００ｄにより構成され、辺部１００ｃ’は辺部１００ｂに対して鈍角に形成され、辺部１００ｃ’は辺部１００ｄに対して鋭角に形成され、蓋部１００における右側面側の構成は、辺部（第４辺部）１００ｈと辺部（第５辺部）１００ｇ’と辺部１００ｆにより構成され、辺部１００ｇ’は辺部１００ｈに対して鈍角に形成され、辺部１００ｇ’は辺部１００ｆに対して鋭角に形成されている。
【０１２４】
また、支持部１３０における蓋部１００側で右側面側の構成は、辺部１３０ａと辺部（第７辺部）１３０ｚと辺部１３０ｂにより構成され、辺部１３０ｚは辺部１３０ａと辺部１３０ｂに対して鈍角に形成され、支持部１３２における蓋部１００側で左側面側の構成は、辺部１３２ａと辺部（第６辺部）１３２ｚと辺部１３２ｂにより構成され、辺部１３２ｚは辺部１３２ａと辺部１３２ｂに対して鈍角に形成されている。
【０１２５】
蓋部１００と支持部１３０、１３２が以上のように構成されていることにより、蓋部１００、１５０を閉状態でロックした状態では、辺部１００ｃ’と正面側左側面部６０の内側の面との間に隙間が形成され、辺部１００ｇ’と正面側右側面部３０の内側の面との間に隙間が形成され、支持部１３０の辺部１３０ｚは折れ線Ｃ２の方向に対して傾斜した状態となり、支持部１３２の辺部１３２ｚは折れ線Ｃ５の方向に対して傾斜した状態となる。
【０１２６】
また、蓋部１５０における左側面側の構成は、辺部（第８辺部）１５０ａから連設された辺部（第９辺部）１５０ｂと辺部（第１０辺部）１５０ｃ’と辺部１５０ｄにより構成され、辺部１５０ｃ’は辺部１５０ｂに対して鈍角に形成され、辺部１５０ｃ’は辺部１５０ｄに対して鋭角に形成され、蓋部１５０における右側面側の構成は、辺部（第１１辺部）１５０ｈと辺部（第１２辺部）１５０ｇ’と辺部１５０ｆにより構成され、辺部１５０ｇ’は辺部１５０ｈに対して鈍角に形成され、辺部１５０ｇ’は辺部１５０ｆに対して鋭角に形成されている。
【０１２７】
また、支持部１８０における蓋部１５０側で右側面側の構成は、辺部１８０ａと辺部（第１４辺部）１８０ｚと辺部１８０ｂにより構成され、辺部１８０ｚは辺部１８０ａと辺部１８０ｂに対して鈍角に形成され、支持部１８２における蓋部１５０側で左側面側の構成は、辺部１８２ａと辺部（第１３辺部）１８２ｚと辺部１８２ｂにより構成され、辺部１８２ｚは辺部１８２ａと辺部１８２ｂに対して鈍角に形成されている。
【０１２８】
蓋部１５０と支持部１８０、１８２が以上のように構成されていることにより、蓋部１００、１５０を閉状態でロックした状態では、辺部１５０ｃ’と背面側左側面部７０の内側の面との間に隙間が形成され、辺部１５０ｇ’と背面側右側面部４０の内側の面との間に隙間が形成され、支持部１８０の辺部１８０ｚは折れ線Ｃ２の方向に対して傾斜した状態となり、支持部１８２の辺部１８２ｚは折れ線Ｃ５の方向に対して傾斜した状態となる。
【０１２９】
以上のような構成とすることにより、図４に示すように、蓋部１００、１５０を外側に回動させた状態から、図３に示すように蓋部１００、１５０を閉じた状態とする際に、蓋部１００と把手部１１０の境界位置の両側部分が正面側右側面部３０や正面側左側面部６０に接触して邪魔になることがなく、蓋部１５０と把手部１６０の境界位置の両側部分が背面側右側面部４０や背面側左側面部７０に接触して邪魔になることがない。特に、辺部１００ｃ’と辺部１３２ｚで構成される辺部が１つの直線状を呈し、辺部１００ｇ’と辺部１３０ｚで構成される辺部が１つの直線状を呈し、辺部１５０ｃ’と辺部１８２ｚで構成される辺部が１つの直線状を呈し、辺部１５０ｇ’と辺部１８０ｚで構成される辺部が１つの直線状を呈するので、蓋部１００と把手部１１０間の境界位置の両側に角部が形成されず、蓋部１５０と把手部１６０間の境界位置の両側に角部が形成されないので、蓋部１００、１５０を閉じる際に邪魔になることがない。
【０１３０】
なお、上記の説明において、底面部１９０は、フラップ２００〜２５０により構成される、いわゆるワンタッチ底であるとしたが、これには限られず、正面部１０と正面側右側面部３０と背面側右側面部４０と正面側左側面部６０と背面側左側面部７０と背面部８０におけるいずれかの下辺から連設された六角形状の板状部材で、その１又は複数の辺部から差込み片部（スリーブ状部５の内側に差し込む差込み片部）が連設された構成としてもよい。
【０１３１】
なお、上記の説明では、把手部１１０は、支持部１３０、１３２を有し、把手部１６０は、支持部１８０、１８２を有するとしたが、これらの支持部の構成を省略してもよい。
【０１３２】
すなわち、図２０の包装箱１’’に示すように、蓋部１００からは把手部１１０が折れ線を介して連設され、把手部１１０は、把手本体１２０と折返し部１３４を有し、把手本体１２０は、右突出領域（第１右突出領域）１２０−１と左突出領域（第１左突出領域）１２０−２とを有し、右突出領域１２０−１は、把手本体１２０（把手部１１０としてもよい）の右側面側に突出し、左突出領域１２０−２は、把手本体１２０（把手部１１０としてもよい）の左側面側に突出し、右突出領域１２０−１の基端の上側に切欠部１２２Ｋが設けられ、左突出領域１２０−２の基端の上側に切欠部１２４Ｋが設けられ、切欠部１２２Ｋは開口部２０Ｋと係合し、切欠部１２４Ｋは開口部５０Ｋと係合する。なお、図２０において、把手部１１０、１６０と上方突出領域２０−１、５０−１以外の構成は、図１〜図８における構成と同様であり、図１〜図８における同じ符号の部材は、同じ名称である。糊代部９０は、背面部８０に接着され、フラップ２２０は、フラップ２１０に接着され、フラップ２５０は、フラップ２４０に接着される。
【０１３３】
また、蓋部１５０からは把手部１６０が折れ線を介して連設され、把手部１６０は、右突出領域（第２右突出領域）１７０−１と左突出領域（第２左突出領域）１７０−２とを有し、右突出領域１７０−１は、把手部１６０の右側面側に突出し、左突出領域１７０−２は、把手部１６０の左側面側に突出し、右突出領域１７０−１の基端の上側に切欠部１７２Ｋが設けられ、左突出領域１７０−２の基端の上側に切欠部１７４Ｋが設けられ、切欠部１７２Ｋは開口部２０Ｋと係合し、切欠部１７４Ｋは開口部５０Ｋと係合する。
【０１３４】
また、開口部２０Ｋは、上方突出領域２０−１に設けられ、開口部５０Ｋは、上方突出領域５０−１に設けられているとしたが、図２０に示すように、開口部２０Ｋは、上方突出領域２０−１（右側面部２０における一点鎖線よりも上側の領域）の下端よりも下方に突出して形成されていてもよく（つまり、開口部２０Ｋの少なくとも一部が上方突出領域２０−１に設けられていればよい）、また、開口部５０Ｋは、上方突出領域５０−１（左側面部５０における一点鎖線よりも上側の領域）の下端よりも下方に突出して形成されていてもよい（つまり、開口部５０Ｋの少なくとも一部が上方突出領域５０−１に設けられていればよい）。
【０１３５】
なお、図２０に示す構成においても、折れ線Ｃ１１は、接点Ｐ１（第１位置）と接点Ｑ１（第２位置）間に接点Ｑ１にいくほど上側となるように傾斜して形成され、折れ線Ｃ１２は、接点Ｐ２（第３位置）と接点Ｑ２（第４位置）間に接点Ｑ２にいくほど上側となるように傾斜して形成され、折れ線Ｃ２１は、接点Ｐ３（第５位置）と接点Ｑ３（第６位置）間に接点Ｑ３にいくほど上側となるように傾斜して形成され、折れ線Ｃ２２は、接点Ｐ４（第７位置）と接点Ｑ４（第８位置）間に接点Ｑ４にいくほど上側となるように傾斜して形成されている。また、図２０に示す構成においても、接点Ｐ１は、上方突出領域２０−１の正面側の辺部における下端（辺部３０ｂの下端）から上端（辺部３０ｄの上端）までの途中位置であり、接点Ｐ２は、上方突出領域２０−１の背面側の辺部における下端（辺部４０ｂの下端）から上端（辺部４０ｄの上端）までの途中位置であり、接点Ｐ３は、上方突出領域５０−１の正面側の辺部における下端（辺部６０ｂの下端）から上端（辺部６０ｄの上端）までの途中位置であり、接点Ｐ４は、上方突出領域５０−１の背面側の辺部における下端（辺部７０ｂの下端）から上端（辺部７０ｄの上端）までの途中位置である。
【０１３６】
また、図２０に示す構成においても、開口部２０Ｋの長手方向の長さは、右突出領域１２０−１、１７０−１の長さ、すなわち、右突出領域１２０−１、１７０−１の開口部２０Ｋに挿通した状態で切欠部１２２Ｋ、１７２Ｋの位置における開口部２０Ｋの長手方向に沿った長さ（切欠部１２２Ｋ、１７２Ｋの長さを含む長さ）よりも長く形成され、開口部５０Ｋの長手方向の長さは、左突出領域１２０−２、１７０−２の長さ、すなわち、左突出領域１２０−２、１７０−２の開口部５０Ｋに挿通した状態で切欠部１２４Ｋ、１７４Ｋの位置における開口部５０Ｋの長手方向に沿った長さ（切欠部１２４Ｋ、１７４Ｋの長さを含む長さ）よりも長く形成されている。
【０１３７】
また、図２０に示す構成においても、正面側右側面部３０の本体部３２において、上端部２４を回動させることにより撓む領域である上端領域は、折れ線Ｃ１１と仮想直線（接点Ｐ１と開口部２０Ｋの下端を結ぶ仮想直線）とで挟まれた領域と、折れ線Ｃ１２と仮想直線（接点Ｐ２と開口部２０Ｋの下端を結ぶ仮想直線）とで挟まれた領域であり、上端部５４を回動させることにより撓む領域である上端領域は、折れ線Ｃ２１と仮想直線（接点Ｐ３と開口部５０Ｋの下端を結ぶ仮想直線）とで挟まれた領域と、折れ線Ｃ２２と仮想直線（接点４２と開口部５０Ｋの下端を結ぶ仮想直線）とで挟まれた領域であり、上端部２４、５４を回動させることにより該上端領域が撓むので、図１〜図８の構成の場合と同様に、上端部２４、５４を容易に回動させることができる。
【０１３８】
なお、図２０の構成においては、辺部３０ｂ、４０ｂ、６０ｂ、７０ｂは、水平方向に対して傾斜した構成となっているが、図２１の包装箱１’’’に示すように、辺部３０ｂ、４０ｂ、６０ｂ、７０ｂを水平方向（つまり、正面側右側面部３０、背面側右側面部４０、正面側左側面部６０、背面側左側面部７０の下辺に対して平行な方向）としてもよい。すると、上方突出領域２０−１の辺部は、辺部３０ｃの下端からと辺部４０ｃの下端までとなり、上方突出領域５０−１の辺部は、辺部６０ｃの下端からと辺部７０ｃの下端までとなり、接点Ｐ１が、上方突出領域２０−１の正面側の辺部の下端から上端までの途中位置ではなく、上方突出領域２０−１の正面側の辺部の下端の位置（第１位置）に位置し、接点Ｐ３が、上方突出領域２０−１の背面側の辺部の下端から上端までの途中位置ではなく、上方突出領域２０−１の背面側の辺部の下端の位置（第３位置）に位置し、接点Ｐ５が、上方突出領域５０−１の正面側の辺部の下端から上端までの途中位置ではなく、上方突出領域５０−１の正面側の辺部の下端の位置（第５位置）に位置し、接点Ｐ７が、上方突出領域５０−１の背面側の辺部の下端から上端までの途中位置ではなく、上方突出領域５０−１の背面側の辺部の下端の位置（第７位置）に位置する。つまり、折れ線Ｃ１１、Ｃ１２、Ｃ２１、Ｃ２２は、図２０に示す各折れ線と平行で下方に移動させたものとなる。
【０１３９】
図２１に示す構成においても、折れ線Ｃ１１と仮想直線（接点Ｐ１と開口部２０Ｋの下端を結ぶ仮想直線）とで挟まれた領域である上端領域と、折れ線Ｃ１２と仮想直線（接点Ｐ２と開口部２０Ｋの下端を結ぶ仮想直線）とで挟まれた領域である上端領域が、上端部２４を回動させることにより撓み、折れ線Ｃ２１と仮想直線（接点Ｐ３と開口部５０Ｋの下端を結ぶ仮想直線）とで挟まれた領域である上端領域と、折れ線Ｃ２２と仮想直線（接点Ｐ４と開口部５０Ｋの下端を結ぶ仮想直線）とで挟まれた領域である上端領域が、上端部５４を回動させることにより撓むことから、図１〜図８の構成の場合と同様に、上端部２４、５４を容易に回動させることができる。
【０１４０】
つまり、接点Ｐ１（第１位置）は、上方突出領域２０−１における正面側の辺部における下端から上端までの途中位置又は上方突出領域２０−１における正面側の辺部における下端の位置であればよく、接点Ｐ２（第３位置）は、上方突出領域２０−１における背面側の辺部における下端から上端までの途中位置又は上方突出領域２０−１における背面側の辺部における下端の位置であればよく、接点Ｐ３（第５位置）は、上方突出領域５０−１における正面側の辺部における下端から上端までの途中位置又は上方突出領域５０−１における正面側の辺部における下端の位置であればよく、接点Ｐ４（第７位置）は、上方突出領域５０−１における背面側の辺部における下端から上端までの途中位置又は上方突出領域５０−１における背面側の辺部における下端の位置であればよい。
【符号の説明】
【０１４１】
１、１’、１’’、１’’’  包装箱
５  スリーブ状部
１０  正面部
２０  右側面部
２０−１、３０−１、４０−１、５０−１、６０−１、７０−１  上方突出領域
２０Ｋ、５０Ｋ  開口部
２２、３２、４２、５２、６２、７２  本体部
２４、３４、４４、５４、６４、７４  上端部
３０  正面側右側面部
４０  背面側右側面部
５０  左側面部
６０  正面側左側面部
７０  背面側左側面部
９０  糊代部
１００、１５０  蓋部
１１０、１６０  把手部
１２０、１７０  把手本体
１２０−１、１７０−１  右突出領域
１２０−２、１７０−２  左突出領域
１２２Ｋ、１２４Ｋ、１７２Ｋ、１７４Ｋ  １００Ｋ、１５０Ｋ  切欠部
１３０、１３２、１８０、１８２  支持部
１３４、１８４  折返し部
１９０  底面部
２００、２１０、２２０、２３０、２４０、２５０  フラップ
Ｃ１、Ｃ２、Ｃ３、Ｃ４、Ｃ５、Ｃ６、Ｃ１１、Ｃ１２、Ｃ２１、Ｃ２２  折れ線
Ｄ１１、Ｄ１２、Ｄ２１、Ｄ２２  仮想直線
Ｐ１、Ｐ２、Ｐ３、Ｐ４、Ｑ１、Ｑ２、Ｑ３、Ｑ４  接点
【図１】
2018002287.tif 000003
【図２】
2018002287.tif 000004
【図３】
2018002287.tif 000005
【図４】
2018002287.tif 000006
【図５】
2018002287.tif 000007
【図６】
2018002287.tif 000008
【図７】
2018002287.tif 000009
【図８】
2018002287.tif 000010
【図９】
2018002287.tif 000011
【図１０】
2018002287.tif 000012
【図１１】
2018002287.tif 000013
【図１２】
2018002287.tif 000014
【図１３】
2018002287.tif 000015
【図１４】
2018002287.tif 000016
【図１５】
2018002287.tif 000017
【図１６】
2018002287.tif 000018
【図１７】
2018002287.tif 000019
【図１８】
2018002287.tif 000020
【図１９】
2018002287.tif 000021
【図２０】
2018002287.tif 000022
【図２１】
2018002287.tif 000023